(57)【特許請求の範囲】
【請求項１】
ネットワークを介して家屋内に配置された複数の家電機器から収集した情報を管理する情報管理システムにおける情報管理方法であって、
前記ネットワークを介して前記家屋内の前記複数の家電機器の各々の使用電力量を含むログ情報を前記複数の家電機器の各々から収集し、
収集した前記ログ情報を所定のデータベースに登録し、
前記家屋内の部屋毎に集計された前記使用電力量の総和の所定時間毎の変動を表す電力変動データを抽出し、
抽出された前記電力変動データに基づいて、前記家屋内の部屋毎に集計された前記使用電力量の総和の所定時間毎の変動を表す表示画面に関する表示データを生成し、
ユーザが使用する表示端末に、生成された前記表示データを提供し、
前記家屋内のいずれの部屋のいずれの時間帯における前記使用電力量の変動を修正するかを選択させる修正画面に関する修正画面データを前記表示端末に提供し、
前記修正画面に基づいて前記表示端末によって修正対象として選択された時間帯及び部屋を示す選択情報を受け付けた場合、受け付けた前記選択情報で示される時間帯及び部屋に対応する使用電力量の総和の変動を表す修正対象データと傾向が異なるデータであって前記選択情報で示される時間帯を含む日よりも前の日における前記選択情報で示される時間帯と同じ時間帯の前記選択情報で示される部屋に対応する使用電力量の総和の変動を表す電力参照データに基づいて、前記所定のデータベースの登録内容を変更せずに、前記表示データの内容を修正する、
情報管理方法。
【請求項２】
前記家屋の共同利用者に割り当てられた識別子である共同利用者識別子を管理し、
前記共同利用者識別子を用いたアクセスを受けた場合、前記アクセスに応じて前記アクセスを試行した表示端末に前記表示データを提供する、
請求項１記載の情報管理方法。
【請求項３】
前記表示画面は、前記家屋内の少なくとも一の部屋に置かれた少なくとも一の家電機器に対するユーザの操作の有無を表す操作情報を含む、
請求項１又は請求項２のいずれか一に記載の情報管理方法。
【請求項４】
前記少なくとも一の家電機器は冷蔵庫を含み、
前記操作情報は、前記冷蔵庫の扉の開閉を検知するセンサによって検知された前記冷蔵庫の扉の開閉を表す情報を含む、
請求項３記載の情報管理方法。
【請求項５】
前記少なくとも一の家電機器は空気清浄機を含み、
前記操作情報は、前記空気清浄機の動作モードの変更を受け付ける操作部によって受け付けられた前記空気清浄機の動作モードの変更を表す情報を含む、
請求項３記載の情報管理方法。
【請求項６】
前記表示データの内容を修正した後、前記修正後の前記表示データを前記表示端末に提供する、
請求項１記載の情報管理方法。
【請求項７】
前記修正対象データを前記電力参照データに置換することで前記表示データの内容を修正する、
請求項１記載の情報管理方法。
【請求項８】
前記修正対象データが、ユーザが部屋に在室している際の電力変動データである場合は、前記修正対象データと傾向が異なるデータは、ユーザが部屋に不在である際の電力変動データであり、
前記修正対象データが、ユーザが部屋に不在である際の電力変動データである場合は、前記修正対象データと傾向が異なるデータは、ユーザが部屋に在室している際の電力変動データである、
請求項１から請求項７のいずれか一に記載の情報管理方法。
【請求項９】
前記家屋を共同で利用する複数のユーザが共同で用いるスケジュールを表すスケジュールデータを管理し、
管理されている前記スケジュールデータに基づいて特定される電力変動データと、抽出された前記電力変動データとが一致しない時間帯及び部屋を特定し、前記特定された時間帯及び部屋を示す修正候補データを前記表示端末に提供する、
請求項１記載の情報管理方法。
【請求項１０】
前記修正候補データによって示された前記時間帯及び前記部屋に対応する使用電力量の総和の変動を表す修正対象データと傾向が異なるデータであって前記時間帯を含む日よりも前の日における前記時間帯と同じ時間帯の前記部屋に対応する使用電力量の総和の変動を表す電力参照データに基づいて、前記表示データの内容を修正する、
請求項９記載の情報管理方法。
【請求項１１】
前記修正対象データを前記電力参照データに置換することで前記表示データの内容を修正する、
請求項１０記載の情報管理方法。
【請求項１２】
前記修正対象データが、ユーザが部屋に在室している際の電力変動データである場合は、前記修正対象データと傾向が異なるデータは、ユーザが部屋に不在である際の電力変動データであり、
前記修正対象データが、ユーザが部屋に不在である際の電力変動データである場合は、前記修正対象データと傾向が異なるデータは、ユーザが部屋に在室している際の電力変動データである、
請求項１０又は請求項１１のいずれか一に記載の情報管理方法。
【発明の詳細な説明】
【技術分野】
【０００１】
本発明は、ネットワークを介して家屋内に配置された複数の家電機器から収集した情報を管理する情報管理システムにおける情報管理方法に関するものである。
【背景技術】
【０００２】
近年、家電機器の使用履歴などに関するログ情報を収集し、収集したログ情報に基づいて各種サービスを提供するクラウドシステムが検討されている。【０００３】
しかしながら、上記クラウドシステムは検討段階であり、実用化に向けてさらなる検討及び改善が必要とされている。
【先行技術文献】
【特許文献】
【０００４】
【特許文献１】特開２００２−６５４６４号公報
【発明の概要】
【０００５】
本発明の一局面に係る情報管理方法は、ネットワークを介して家屋内に配置された複数の家電機器から収集した情報を管理する情報管理システムにおける情報管理方法であって、前記ネットワークを介して前記家屋内の前記複数の家電機器の各々の使用電力量を含むログ情報を前記複数の家電機器の各々から収集し、前記家屋内の部屋毎に集計された前記使用電力量の総和の所定時間毎の変動を表す電力変動データを抽出し、抽出された前記電力変動データに基づいて、前記家屋内の部屋毎に集計された前記使用電力量の総和の所定時間毎の変動を表す表示画面に関する表示データを生成し、ユーザが使用する表示端末に、生成された前記表示データを提供する。
【０００６】
上記態様により、さらなる改善を実現できた。
【図面の簡単な説明】
【０００７】
【図１】（Ａ）は、本実施の形態における情報管理システムが提供するサービスの全体像を示す図であり、（Ｂ）は、機器メーカがデータセンタ運営会社に該当する例を示す図であり、（Ｃ）は、機器メーカ及び管理会社の両者又はいずれか一方がデータセンタ運営会社に該当する例を示す図である。
【図２】本発明の実施の形態１における情報管理システムの構成を示す図である。
【図３】本発明の実施の形態１における情報管理システムの構成を示すブロック図である。
【図４】（Ａ）は、本実施の形態１におけるログ情報のデータ構造の一例を示す図であり、（Ｂ）は、本実施の形態１におけるログ情報の具体的な数値例を示す図である。
【図５】家屋ＩＤ、部屋ＩＤ及び家電ＩＤを家電履歴ＤＢに登録するための登録画面の一例を示す図である。
【図６】（Ａ）は、本実施の形態１における家電登録情報のデータ構造の一例を示す図であり、（Ｂ）は、本実施の形態１における家電登録情報の具体的な数値例を示す図である。
【図７】（Ａ）は、本実施の形態１における表示データ要求情報のデータ構造の一例を示す図であり、（Ｂ）は、本実施の形態１における表示データ要求情報の具体的な数値例を示す図である。
【図８】本発明の実施の形態１における情報管理システムの処理の全体の流れを示す図である。
【図９】本発明の実施の形態１における使用電力量蓄積処理を説明するためのフローチャートである。
【図１０】本発明の実施の形態１における表示データ送信処理を説明するためのフローチャートである。
【図１１】本実施の形態１における表示画面の一例を示す図である。
【図１２】ユーザが第４の部屋にいる場合の電力履歴の一例を示す図である。
【図１３】ユーザが第４の部屋にいない場合の電力履歴の一例を示す図である。
【図１４】本実施の形態１の変形例における表示画面の一例を示す図である。
【図１５】本発明の実施の形態２における情報管理システムの構成を示すブロック図である。
【図１６】（Ａ）は、本実施の形態２における修正指示情報のデータ構造の一例を示す図であり、（Ｂ）は、本実施の形態２における修正指示情報の具体例を示す図である。
【図１７】本実施の形態２における家電履歴ＤＢに格納される情報のデータ構造の一例を示す図である。
【図１８】図１７に示す電力履歴情報の具体例を示す図である。
【図１９】図１７に示す在室電力履歴情報及び不在電力履歴情報の具体例を示す図である。
【図２０】図１７に示す修正フラグ情報の具体例を示す図である。
【図２１】本発明の実施の形態２における情報管理システムの修正フラグ設定処理の流れを示す図である。
【図２２】本発明の実施の形態２における修正フラグ設定処理を説明するためのフローチャートである。
【図２３】本実施の形態２において、電力履歴を修正する際に表示される表示画面の一例を示す図である。
【図２４】本実施の形態２において、電力履歴を修正する際に表示される修正確認画面の一例を示す図である。
【図２５】本発明の実施の形態２における表示データ送信処理を説明するためのフローチャートである。
【図２６】本発明の実施の形態２における表示データ送信処理を説明するためのフローチャートである。
【図２７】本実施の形態２において、表示データを修正する他の例を説明するための図である。
【図２８】本実施の形態２において、電力履歴の変動幅を修正する例について説明するための図である。
【図２９】本発明の実施の形態３における情報管理システムの構成を示すブロック図である。
【図３０】本実施の形態３におけるスケジュールＤＢに格納される情報のデータ構造の一例を示す図である。
【図３１】本発明の実施の形態３における情報管理システムの修正フラグ設定処理の流れを示す図である。
【図３２】本発明の実施の形態３における履歴修正判断処理を説明するためのフローチャートである。
【図３３】本発明の実施の形態４における情報管理システムの構成を示すブロック図である。
【図３４】サービスの類型１（自社データセンタ型クラウドサービス）における情報管理システムが提供するサービスの全体像を示す図である。
【図３５】サービスの類型２（ＩａａＳ利用型クラウドサービス）における情報管理システムが提供するサービスの全体像を示す図である。
【図３６】サービスの類型３（ＰａａＳ利用型クラウドサービス）における情報管理システムが提供するサービスの全体像を示す図である。
【図３７】サービスの類型４（ＳａａＳ利用型クラウドサービス）における情報管理システムが提供するサービスの全体像を示す図である。
【発明を実施するための形態】
【０００８】
（本発明の基礎となった知見）
従来、独り暮らしの老人の安否などの生活状況を遠隔的に確認できる生活モニタ用電子ポットに関する技術がある。例えば、特許文献１では、離隔地間で個別に使用される２台の電子ポットを通信回線で結び、一方の電子ポットの給湯スイッチのＯＮ／ＯＦＦに関する情報が、他方の電子ポットの表示部に表示される。
【０００９】
しかしながら、特許文献１に開示されている従来のシステムは、電子ポットという特定の家電機器に特定されたシステムである。そのため、電子ポットを使用しない家庭では、遠隔的に生活状況を確認することができない。
【００１０】
上記クラウドシステムを活用することで、電子ポットを使用しない家庭でも遠隔的に生活状況を確認することができる可能性もある。
【００１１】
本発明は、上記の問題を解決するためになされたもので、家屋を共同で利用するユーザが部屋に在室しているか否かを容易に確認することができる情報管理方法を提供することを目的とするものである。
【００１２】
本発明の一局面に係る情報管理方法は、ネットワークを介して家屋内に配置された複数の家電機器から収集した情報を管理する情報管理システムにおける情報管理方法であって、前記ネットワークを介して前記家屋内の前記複数の家電機器の各々の使用電力量を含むログ情報を前記複数の家電機器の各々から収集し、前記家屋内の部屋毎に集計された前記使用電力量の総和の所定時間毎の変動を表す電力変動データを抽出し、抽出された前記電力変動データに基づいて、前記家屋内の部屋毎に集計された前記使用電力量の総和の所定時間毎の変動を表す表示画面に関する表示データを生成し、ユーザが使用する表示端末に、生成された前記表示データを提供する。
【００１３】
この構成によれば、ネットワークを介して家屋内の複数の家電機器の各々の使用電力量を含むログ情報が複数の家電機器の各々から収集される。家屋内の部屋毎に集計された使用電力量の総和の所定時間毎の変動を表す電力変動データが抽出される。抽出された電力変動データに基づいて、家屋内の部屋毎に集計された使用電力量の総和の所定時間毎の変動を表す表示画面に関する表示データが生成される。ユーザが使用する表示端末に、生成された表示データが提供される。
【００１４】
したがって、家屋内の部屋毎に集計された使用電力量の総和の所定時間毎の変動を表す表示画面に関する表示データが提供されるので、部屋単位で使用電力量の総和の所定時間毎の変動を確認することにより、家屋を共同で利用するユーザが部屋に在室しているか否かを容易に確認することができる。
【００１５】
また、上記の情報管理方法において、前記家屋の共同利用者に割り当てられた識別子である共同利用者識別子を管理し、前記共同利用者識別子を用いたアクセスを受けた場合、前記アクセスに応じて前記アクセスを試行した表示端末に前記表示データを提供することが好ましい。
【００１６】
この構成によれば、家屋の共同利用者に割り当てられた識別子である共同利用者識別子が管理され、共同利用者識別子を用いたアクセスを受けた場合、アクセスに応じてアクセスを試行した表示端末に表示データが提供される。したがって、特定の共同利用者に対して表示データを提供することができる。
【００１７】
また、上記の情報管理方法において、前記表示画面は、前記家屋内の少なくとも一の部屋に置かれた少なくとも一の家電機器に対するユーザの操作の有無を表す操作情報を含むことが好ましい。
【００１８】
この構成によれば、表示画面は、家屋内の少なくとも一の部屋に置かれた少なくとも一の家電機器に対するユーザの操作の有無を表す操作情報を含むので、ユーザが部屋に在室しているか否かを確実に確認することができる。
【００１９】
また、上記の情報管理方法において、前記少なくとも一の家電機器は冷蔵庫を含み、前記操作情報は、前記冷蔵庫の扉の開閉を検知するセンサによって検知された前記冷蔵庫の扉の開閉を表す情報を含むことが好ましい。
【００２０】
この構成によれば、操作情報は、冷蔵庫の扉の開閉を検知するセンサによって検知された冷蔵庫の扉の開閉を表す情報を含むので、ユーザが部屋に在室しているか否かを確実に確認することができる。
【００２１】
また、上記の情報管理方法において、前記少なくとも一の家電機器は空気清浄機を含み、前記操作情報は、前記空気清浄機の動作モードの変更を受け付ける操作部によって受け付けられた前記空気清浄機の動作モードの変更を表す情報を含むことが好ましい。
【００２２】
この構成によれば、操作情報は、空気清浄機の動作モードの変更を受け付ける操作部によって受け付けられた空気清浄機の動作モードの変更を表す情報を含むので、ユーザが部屋に在室しているか否かを確実に確認することができる。
【００２３】
また、上記の情報管理方法において、収集した前記ログ情報を所定のデータベースに登録し、前記表示端末に提供された前記表示データの内容を修正するための修正指示を受け付けた場合、前記所定のデータベースの登録内容を変更せずに、前記表示データの内容を修正することが好ましい。
【００２４】
この構成によれば、収集したログ情報が所定のデータベースに登録される。表示端末に提供された表示データの内容を修正するための修正指示が受け付けられた場合、所定のデータベースの登録内容を変更せずに、表示データの内容が修正される。
【００２５】
したがって、表示データの内容が修正されるので、ユーザの在室状況を変更することができ、ユーザのプライバシーを保護することができる。また、所定のデータベースの登録内容は変更されないので、収集した正確なログ情報を他の目的に利用することができる。
【００２６】
また、上記の情報管理方法において、前記表示データの内容を修正した後、前記修正後の前記表示データを前記表示端末に提供することが好ましい。
【００２７】
この構成によれば、表示データの内容が修正された後、修正後の表示データが表示端末に提供されるので、修正後の使用電力量の変動をユーザに提示することができる。
【００２８】
また、上記の情報管理方法において、前記表示端末から前記表示データの内容の修正指示を受け付けた場合、前記家屋内のいずれの部屋のいずれの時間帯における前記使用電力量の変動を修正するかを選択させる修正画面に関する修正画面データを前記表示端末に提供し、前記表示端末によって修正対象として選択された時間帯及び部屋を示す選択情報を受け付け、受け付けた前記選択情報で示される時間帯及び部屋に対応する使用電力量の総和の変動を表す修正対象データと傾向が異なるデータであって前記選択情報で示される時間帯を含む日よりも前の日における前記選択情報で示される時間帯と同じ時間帯の前記選択情報で示される部屋に対応する使用電力量の総和の変動を表す電力参照データに基づいて、前記表示データの内容を修正することが好ましい。
【００２９】
この構成によれば、表示端末から表示データの内容の修正指示が受け付けられた場合、家屋内のいずれの部屋のいずれの時間帯における使用電力量の変動を修正するかを選択させる修正画面に関する修正画面データが表示端末に提供される。表示端末によって修正対象として選択された時間帯及び部屋を示す選択情報が受け付けられる。受け付けた選択情報で示される時間帯及び部屋に対応する使用電力量の総和の変動を表す修正対象データと傾向が異なるデータであって選択情報で示される時間帯を含む日よりも前の日における選択情報で示される時間帯と同じ時間帯の選択情報で示される部屋に対応する使用電力量の総和の変動を表す電力参照データに基づいて、表示データの内容が修正される。
【００３０】
したがって、選択情報で示される時間帯を含む日よりも前の日における選択情報で示される時間帯と同じ時間帯の選択情報で示される部屋に対応する使用電力量の総和の変動を表す電力参照データが利用されるので、容易に表示データの内容を修正することができる。
【００３１】
また、上記の情報管理方法において、前記修正対象データを前記電力参照データに置換することで前記表示データの内容を修正することが好ましい。
【００３２】
この構成によれば、修正対象データを電力参照データに置換することで表示データの内容が修正されるので、容易に表示データの内容を修正することができる。
【００３３】
また、上記の情報管理方法において、前記修正対象データが、ユーザが部屋に在室している際の電力変動データである場合は、前記修正対象データと傾向が異なるデータは、ユーザが部屋に不在である際の電力変動データであり、前記修正対象データが、ユーザが部屋に不在である際の電力変動データである場合は、前記修正対象データと傾向が異なるデータは、ユーザが部屋に在室している際の電力変動データであることが好ましい。
【００３４】
この構成によれば、修正対象データが、ユーザが部屋に在室している際の電力変動データである場合は、修正対象データと傾向が異なるデータは、ユーザが部屋に不在である際の電力変動データである。また、修正対象データが、ユーザが部屋に不在である際の電力変動データである場合は、修正対象データと傾向が異なるデータは、ユーザが部屋に在室している際の電力変動データである。
【００３５】
したがって、在室を不在に変更すると共に、不在を在室に変更することができ、ユーザのプライバシーを保護することができる。
【００３６】
また、上記の情報管理方法において、前記家屋を共同で利用する複数のユーザが共同で用いるスケジュールを表すスケジュールデータを管理し、管理されている前記スケジュールデータに基づいて特定される電力変動データと、抽出された前記電力変動データとが一致しない時間帯及び部屋を特定し、前記特定された時間帯及び部屋を示す修正候補データを前記表示端末に提供することが好ましい。
【００３７】
この構成によれば、家屋を共同で利用する複数のユーザが共同で用いるスケジュールを表すスケジュールデータが管理される。管理されているスケジュールデータ電力変動データと、抽出された電力変動データとが一致しない時間帯及び部屋が特定される。特定された時間帯及び部屋を示す修正候補データが表示端末に提供される。
【００３８】
したがって、既存のスケジュールデータを利用して、スケジュールデータと部屋毎の使用電力量の総和を表す電力変動データとの差分が通知されるので、容易に表示データを修正することができる。
【００３９】
また、上記の情報管理方法において、前記修正候補データによって示された前記時間帯及び前記部屋に対応する使用電力量の総和の変動を表す修正対象データと傾向が異なるデータであって前記時間帯を含む日よりも前の日における前記時間帯と同じ時間帯の前記部屋に対応する使用電力量の総和の変動を表す電力参照データに基づいて、前記表示データの内容を修正することが好ましい。
【００４０】
この構成によれば、修正候補データによって示された時間帯及び部屋に対応する使用電力量の総和の変動を表す修正対象データと傾向が異なるデータであって時間帯を含む日よりも前の日における時間帯と同じ時間帯の部屋に対応する使用電力量の総和の変動を表す電力参照データに基づいて、表示データの内容が修正される。
【００４１】
したがって、修正候補データによって示された時間帯を含む日よりも前の日における時間帯と同じ時間帯の部屋に対応する使用電力量の総和の変動を表す電力参照データが利用されるので、容易に表示データの内容を修正することができる。
【００４２】
また、上記の情報管理方法において、前記修正対象データを前記電力参照データに置換することで前記表示データの内容を修正することが好ましい。
【００４３】
この構成によれば、修正対象データを電力参照データに置換することで表示データの内容が修正されるので、容易に表示データの内容を修正することができる。
【００４４】
また、上記の情報管理方法において、前記修正対象データが、ユーザが部屋に在室している際の電力変動データである場合は、前記修正対象データと傾向が異なるデータは、ユーザが部屋に不在である際の電力変動データであり、前記修正対象データが、ユーザが部屋に不在である際の電力変動データである場合は、前記修正対象データと傾向が異なるデータは、ユーザが部屋に在室している際の電力変動データであることが好ましい。
【００４５】
この構成によれば、修正対象データが、ユーザが部屋に在室している際の電力変動データである場合は、修正対象データと傾向が異なるデータは、ユーザが部屋に不在である際の電力変動データである。また、修正対象データが、ユーザが部屋に不在である際の電力変動データである場合は、修正対象データと傾向が異なるデータは、ユーザが部屋に在室している際の電力変動データである。
【００４６】
したがって、在室を不在に変更すると共に、不在を在室に変更することができ、ユーザのプライバシーを保護することができる。
【００４７】
本発明の他の局面に係る情報管理方法は、ネットワークを介して家屋内に配置された複数の家電機器から収集した情報を管理する情報管理システムにおける情報管理方法であって、前記ネットワークを介して前記家屋内の前記複数の家電機器の各々の使用電力量を含むログ情報を前記複数の家電機器の各々から収集し、収集した前記ログ情報を所定のデータベースに登録し、前記家屋内の部屋毎に集計された前記使用電力量の総和の所定時間毎の変動を表す電力変動データを抽出し、抽出された前記電力変動データに基づいて、前記家屋内の部屋毎に集計された前記使用電力量の総和の所定時間毎の変動を表す表示画面に関する表示データを生成し、ユーザが使用する表示端末に、生成された前記表示データを提供し、前記表示端末に提供された前記表示データの内容を修正するための修正指示を受け付けた場合、前記所定のデータベースの登録内容を変更せずに、前記表示データの内容を修正する。
【００４８】
本発明の他の局面に係る情報管理方法は、ネットワークを介して家屋内に配置された複数の家電機器から収集した情報を管理する情報管理システムにおける情報管理方法であって、前記家屋を共同で利用する複数のユーザが共同で用いるスケジュールを表すスケジュールデータを管理し、前記ネットワークを介して前記家屋内の前記複数の家電機器の各々の使用電力量を含むログ情報を前記複数の家電機器の各々から収集し、前記家屋内の部屋毎に集計された前記使用電力量の総和の所定時間毎の変動を表す電力変動データを抽出し、抽出された前記電力変動データに基づいて、前記家屋内の部屋毎に集計された前記使用電力量の総和の所定時間毎の変動を表す表示画面に関する表示データを生成し、ユーザが使用する表示端末に、生成された前記表示データを提供し、管理されている前記スケジュールデータに基づいて特定される電力変動データと、抽出された前記電力変動データとが一致しない時間帯及び部屋を特定し、前記特定された時間帯及び部屋を示す修正候補データを前記表示端末に提供する。
【００４９】
本発明の他の局面に係る情報管理方法は、ネットワークを介して家屋内に配置された複数の家電機器から収集した情報を管理する情報管理システムにおける情報管理方法であって、前記家屋を共同で利用する複数のユーザが共同で用いるスケジュールを表すスケジュールデータを管理し、前記ネットワークを介して前記家屋内の前記複数の家電機器の各々に対する操作の有無を表す操作データを含むログ情報を前記複数の家電機器の各々から収集し、収集した前記ログ情報を所定のデータベースに登録し、前記家屋内の部屋毎に収集された前記複数の家電機器の中の少なくとも一の家電機器に対する操作の有無を表す操作データを所定時間毎に抽出し、抽出された前記操作データに基づいて、前記家屋内の部屋毎に収集された前記複数の家電機器の中の少なくとも一の家電機器に対する操作の有無を表す表示画面に関する表示データを生成し、ユーザが使用する表示端末に、生成した前記表示データを提供し、管理されている前記スケジュールデータ操作データと、抽出された前記操作データとが一致しない時間帯及び部屋を特定し、前記特定された時間帯及び部屋を示す修正候補データを前記表示端末に提供する。
【００５０】
この構成によれば、家屋を共同で利用する複数のユーザが共同で用いるスケジュールを表すスケジュールデータが管理される。ネットワークを介して家屋内の複数の家電機器の各々に対する操作の有無を表す操作データを含むログ情報が複数の家電機器の各々から収集される。収集されたログ情報が所定のデータベースに登録される。家屋内の部屋毎に収集された複数の家電機器の中の少なくとも一の家電機器に対する操作の有無を表す操作データが所定時間毎に抽出される。抽出された操作データに基づいて、家屋内の部屋毎に収集された複数の家電機器の中の少なくとも一の家電機器に対する操作の有無を表す表示画面に関する表示データが生成される。ユーザが使用する表示端末に、生成された表示データが提供される。管理されているスケジュールデータに基づいて特定される操作データと、抽出された操作データとが一致しない時間帯及び部屋が特定される。特定された時間帯及び部屋を示す修正候補データが表示端末に提供される。
【００５１】
したがって、家屋内の部屋毎に収集された複数の家電機器の中の少なくとも一の家電機器に対する操作の有無を表す表示画面に関する表示データの内容が修正されるので、ユーザの在室状況を変更することができ、ユーザのプライバシーを保護することができる。また、既存のスケジュールデータを利用して、スケジュールデータと部屋毎の複数の家電機器の中の少なくとも一の家電機器に対する操作の有無を表す操作データとの差分が通知されるので、容易に操作データを修正することができる。
【００５２】
また、上記の情報管理方法において、前記修正候補データによって示された前記時間帯及び前記部屋に含まれる前記少なくとも一の家電機器に対する操作の有無を表す修正対象データと傾向が異なるデータであって前記時間帯を含む日よりも前の日における前記時間帯と同じ時間帯の前記少なくとも一の家電機器に対する操作の有無を表す操作参照データに基づいて、前記表示データの内容を修正することが好ましい。
【００５３】
この構成によれば、修正候補データによって示された時間帯及び部屋に含まれる少なくとも一の家電機器に対する操作の有無を表す修正対象データと傾向が異なるデータであって時間帯を含む日よりも前の日における時間帯と同じ時間帯の少なくとも一の家電機器に対する操作の有無を表す操作参照データに基づいて、表示データの内容が修正される。
【００５４】
したがって、修正候補データによって示された時間帯を含む日よりも前の日における時間帯と同じ時間帯の少なくとも一の家電機器に対する操作の有無を表す操作参照データが利用されるので、容易に表示データの内容を修正することができる。
【００５５】
また、上記の情報管理方法において、前記修正対象データを前記操作参照データに置換することで前記表示データの内容を修正することが好ましい。
【００５６】
この構成によれば、修正対象データを操作参照データに置換することで表示データの内容が修正されるので、容易に表示データの内容を修正することができる。
【００５７】
また、上記の情報管理方法において、前記修正対象データが、ユーザが部屋に在室している際の操作データである場合は、前記修正対象データと傾向が異なるデータは、ユーザが部屋に不在である際の操作データであり、前記修正対象データが、ユーザが部屋に不在である際の操作データである場合は、前記修正対象データと傾向が異なるデータは、ユーザが部屋に在室している際の操作データであることが好ましい。
【００５８】
この構成によれば、修正対象データが、ユーザが部屋に在室している際の操作データである場合は、修正対象データと傾向が異なるデータは、ユーザが部屋に不在である際の操作データである。また、修正対象データが、ユーザが部屋に不在である際の操作データである場合は、修正対象データと傾向が異なるデータは、ユーザが部屋に在室している際の操作データである。
【００５９】
したがって、在室を不在に変更すると共に、不在を在室に変更することができ、ユーザのプライバシーを保護することができる。
【００６０】
また、上記の情報管理方法において、前記操作データは、前記少なくとも一の家電機器に対する電源のオン又はオフの変化を含むことが好ましい。
【００６１】
この構成によれば、操作データは、少なくとも一の家電機器に対する電源のオン又はオフの変化を含むので、ユーザが部屋に在室しているか否かを確実に確認することができる。
【００６２】
本発明によれば、家屋内の部屋毎に集計された使用電力量の総和の所定時間毎の変動を表す表示画面に関する表示データが提供されるので、部屋単位で使用電力量の総和の所定時間毎の変動を確認することにより、家屋を共同で利用するユーザが部屋に在室しているか否かを容易に確認することができる。
【００６３】
以下添付図面を参照しながら、本発明の実施の形態について説明する。なお、以下の実施の形態は、本発明を具体化した一例であって、本発明の技術的範囲を限定するものではない。
【００６４】
（実施の形態１）
まず、本実施の形態における情報管理システムが提供するサービスの全体像について説明する。
【００６５】
図１（Ａ）は、本実施の形態における情報管理システムが提供するサービスの全体像を示す図である。情報管理システムは、グループ１００、データセンタ運営会社１１０及びサービスプロバイダ１２０を備える。
【００６６】
グループ１００は、例えば企業、団体又は家庭等であり、その規模を問わない。グループ１００は、第１の機器及び第２の機器を含む複数の機器１０１およびホームゲートウェイ１０２を備える。複数の機器１０１は、インターネットと接続可能な機器（例えば、スマートフォン、パーソナルコンピュータ（ＰＣ）又はテレビ等）、及びそれ自身ではインターネットと接続不可能な機器（例えば、照明、洗濯機又は冷蔵庫等）を含む。複数の機器１０１は、それ自身ではインターネットと接続不可能であっても、ホームゲートウェイ１０２を介してインターネットと接続可能となる機器を含んでもよい。また、ユーザ１０は、グループ１００内の複数の機器１０１を使用する。
【００６７】
データセンタ運営会社１１０は、クラウドサーバ１１１を備える。クラウドサーバ１１１は、インターネットを介して様々な機器と連携する仮想化サーバである。クラウドサーバ１１１は、主に通常のデータベース管理ツール等で扱うことが困難な巨大なデータ（ビッグデータ）等を管理する。データセンタ運営会社１１０は、データの管理、クラウドサーバ１１１の管理、及びそれらを行うデータセンタの運営等を行っている。データセンタ運営会社１１０が行っている役務の詳細については後述する。
【００６８】
ここで、データセンタ運営会社１１０は、データの管理又はクラウドサーバ１１１の管理のみを行っている会社に限らない。例えば、図１（Ｂ）に示すように、複数の機器１０１のうちの一つの機器を開発又は製造している機器メーカが、データの管理又はクラウドサーバ１１１の管理等を行っている場合は、機器メーカがデータセンタ運営会社１１０に該当する。また、データセンタ運営会社１１０は一つの会社に限らない。例えば、図１（Ｃ）に示すように、機器メーカ及び管理会社が共同又は分担してデータの管理又はクラウドサーバ１１１の管理を行っている場合は、両者又はいずれか一方がデータセンタ運営会社１１０に該当する。
【００６９】
サービスプロバイダ１２０は、サーバ１２１を備える。ここで言うサーバ１２１とは、その規模は問わず、例えば、個人用ＰＣ内のメモリ等も含む。また、サービスプロバイダ１２０がサーバ１２１を備えていない場合もある。
【００７０】
なお、上記の情報管理システムにおいて、ホームゲートウェイ１０２は必須ではない。例えば、クラウドサーバ１１１が全てのデータ管理を行っている場合等は、ホームゲートウェイ１０２は不要となる。また、家庭内の全ての機器がインターネットに接続されている場合のように、それ自身ではインターネットと接続不可能な機器は存在しない場合もある。
【００７１】
次に、上記の情報管理システムにおける情報の流れを説明する。
【００７２】
まず、グループ１００の第１の機器又は第２の機器は、各ログ情報をデータセンタ運営会社１１０のクラウドサーバ１１１にそれぞれ送信する。クラウドサーバ１１１は、第１の機器又は第２の機器のログ情報を集積する（図１（Ａ）の矢印１３１）。ここで、ログ情報とは、複数の機器１０１の例えば運転状況又は動作日時等を示す情報である。例えば、ログ情報は、テレビの視聴履歴、レコーダーの録画予約情報、洗濯機の運転日時、洗濯物の量、冷蔵庫の開閉日時、又は冷蔵庫の開閉回数などを含むが、これらの情報に限らず、種々の機器から取得が可能な種々の情報を含んでもよい。なお、ログ情報は、インターネットを介して複数の機器１０１自体から直接クラウドサーバ１１１に提供されてもよい。また、ログ情報は、複数の機器１０１から一旦ホームゲートウェイ１０２に集積され、ホームゲートウェイ１０２からクラウドサーバ１１１に提供されてもよい。
【００７３】
次に、データセンタ運営会社１１０のクラウドサーバ１１１は、集積したログ情報を一定の単位でサービスプロバイダ１２０に提供する。ここで、一定の単位とは、データセンタ運営会社１１０が集積した情報を整理してサービスプロバイダ１２０に提供することの出来る単位でもよいし、サービスプロバイダ１２０が要求する単位でもよい。また、一定の単位で提供するとしているが、一定の単位でなくてもよく、状況に応じて提供する情報量が変化してもよい。ログ情報は、必要に応じてサービスプロバイダ１２０が保有するサーバ１２１に保存される（図１（Ａ）の矢印１３２）。
【００７４】
そして、サービスプロバイダ１２０は、ログ情報をユーザに提供するサービスに適合する情報に整理し、ユーザに提供する。情報が提供されるユーザは、複数の機器１０１を使用するユーザ１０でもよいし、外部のユーザ２０でもよい。ユーザ１０，２０への情報提供方法としては、例えば、サービスプロバイダ１２０から直接ユーザ１０，２０へ情報が提供されてもよい（図１（Ａ）の矢印１３３，１３４）。また、ユーザ１０への情報提供方法としては、例えば、データセンタ運営会社１１０のクラウドサーバ１１１を再度経由して、ユーザ１０に情報が提供されてもよい（図１（Ａ）の矢印１３５，１３６）。また、データセンタ運営会社１１０のクラウドサーバ１１１は、ログ情報をユーザに提供するサービスに適合する情報に整理し、サービスプロバイダ１２０に提供してもよい。
【００７５】
なお、ユーザ１０は、ユーザ２０と異なっていても同一であってもよい。
【００７６】
図２は、本発明の実施の形態１における情報管理システムの構成を示す図である。図２に示す家屋１００ａは、第１〜第３の部屋１１，１２，１３を備える。なお、図２では、第１〜第３の部屋１１，１２，１３のみを図示しているが、本発明は特にこれに限定されず、家屋１００ａは、４つ以上の部屋を備えてもよく、２つ以下の部屋を備えてもよい。また、情報管理システムは、複数の家屋を備えてもよい。
【００７７】
第１の部屋１１は、第１の家電機器１１ａ及び第２の家電機器１１ｂを備える。なお、図２では、第１及び第２の家電機器１１ａ，１１ｂのみを図示しているが、本発明は特にこれに限定されず、第１の部屋１１は、３つ以上の家電機器を備えてもよく、１つの家電機器を備えてもよい。
【００７８】
第１の家電機器１１ａは、例えば、照明、テレビ、冷蔵庫、洗濯機、ドライヤー、パーソナルコンピュータ、又はゲーム機などの家庭内で使用される種々の家電機器で構成される。第１の家電機器１１ａ及び第２の家電機器１１ｂは、ネットワーク１５０を介してクラウドサーバ１１１と通信可能に接続される。ネットワーク１５０は、例えばインターネットである。
【００７９】
クラウドサーバ１１１は、公知のサーバコンピュータ等から構成され、ネットワーク１５０を介して第１の家電機器１１ａ、第２の家電機器１１ｂ及び表示端末１３０と通信可能に接続されている。
【００８０】
表示端末１３０は、例えば、携帯電話機、スマートフォン又はタブレット端末などで構成され、ネットワーク１５０を介してクラウドサーバ１１１と通信可能に接続される。なお、図２では、１つの表示端末１３０のみを図示しているが、本発明は特にこれに限定されず、情報管理システムは、複数の表示端末を備えてもよい。
【００８１】
図３は、本発明の実施の形態１における情報管理システムの構成を示すブロック図である。
【００８２】
図３において、第１の家電機器１１ａは、ログ情報記憶部２１及びログ情報送信部２２を備える。なお、図３では、第１の家電機器１１ａのみを図示しているが、クラウドサーバ１１１には、他の家電機器も接続されており、他の家電機器の構成は、第１の家電機器１１ａと同じである。
【００８３】
ログ情報記憶部２１は、第１の家電機器１１ａの所定時間毎の使用電力量を記憶する。なお、第１の家電機器１１ａは、使用電力量を測定する不図示の電力測定部を備え、電力測定部は、測定した使用電力量をログ情報記憶部２１に記憶する。なお、本実施の形態では、ログ情報記憶部２１は、１時間毎の使用電力量を記憶するが、本発明は特にこれに限定されず、１分毎、３０分毎又は２時間毎の使用電力量を記憶してもよく、所定時間毎の使用電力量を記憶する。
【００８４】
ログ情報送信部２２は、第１の家電機器１１ａを識別するための識別情報（家電ＩＤ）と、所定時間毎の使用電力量を表す電力履歴とを含むログ情報をクラウドサーバ１１１へ送信する。ログ情報送信部２２は、所定のタイミングで所定時間分の電力履歴をログ情報記憶部２１から読み出し、読み出した電力履歴と家電ＩＤとを含むログ情報をクラウドサーバ１１１へ送信する。例えば、ログ情報送信部２２は、午前０時に２４時間分の電力履歴をログ情報記憶部２１から読み出し、読み出した電力履歴と家電ＩＤとを含むログ情報をクラウドサーバ１１１へ送信する。
【００８５】
なお、情報管理システムは、家屋１００ａ内の複数の家電機器と通信可能に接続されると共に、クラウドサーバ１１１と通信可能に接続されたホームゲートウェイを備えてもよい。家屋１００ａ内の複数の家電機器は、ログ情報をホームゲートウェイへ送信し、ホームゲートウェイは、複数の家電機器のログ情報を個別に又は一括してクラウドサーバ１１１へ送信してもよい。
【００８６】
図４（Ａ）は、本実施の形態１におけるログ情報のデータ構造の一例を示す図であり、図４（Ｂ）は、本実施の形態１におけるログ情報の具体的な数値例を示す図である。
【００８７】
図４（Ａ）に示すように、ログ情報は、家電ＩＤと、所定時間毎の電力履歴とを含む。図４（Ｂ）に示すように、家電ＩＤは、例えば８バイトの値であり、第１の家電機器１１ａ内のメモリに予め記憶されている。また、電力履歴は、前日の午前０時から午後１１時までの１時間毎の使用電力量を示す。
【００８８】
図３において、クラウドサーバ１１１は、ログ情報受信部３１、家電履歴データベース（ＤＢ）３２、表示データ要求受信部３３、電力変動抽出部３４、表示データ生成部３５及び表示データ送信部３６を備える。
【００８９】
家電履歴ＤＢ３２は、部屋毎の使用電力量の総和の所定時間毎の変動を記憶する。また、家電履歴ＤＢ３２は、ユーザが居住する家屋を特定するための家屋ＩＤと、家屋内の部屋を特定するための部屋ＩＤと、当該部屋に配置されている家電機器を特定するための家電ＩＤとを対応付けて記憶している。家電履歴ＤＢ３２は、使用電力量の総和の所定時間毎の変動を示す電力履歴情報を部屋ＩＤに対応付けて記憶する。なお、家屋ＩＤ、部屋ＩＤ及び家電ＩＤは、ユーザによって家電履歴ＤＢ３２に予め登録されている。ユーザは、パーソナルコンピュータ又は携帯電話機などの通信端末を用いて、家屋ＩＤ、部屋ＩＤ及び家電ＩＤを対応付けて家電登録情報として家電履歴ＤＢ３２に予め登録する。なお、家屋ＩＤは、ユーザを特定するためのユーザＩＤであってもよい。
【００９０】
ここで、家電履歴ＤＢ３２に登録される家電登録情報について説明する。
【００９１】
図５は、家屋ＩＤ、部屋ＩＤ及び家電ＩＤを家電履歴ＤＢ３２に登録するための登録画面の一例を示す図である。
【００９２】
家電機器が新たにネットワークに接続されたことをクラウドサーバ１１１が検出すると、クラウドサーバ１１１から表示端末１３０へ図５に示す登録画面が送信される。表示端末１３０は、クラウドサーバ１１１から受信した登録画面を表示する。
【００９３】
図５に示すように、登録画面には、新たに接続された家電機器の名称及び品番と、新たに接続された家電機器が設置された部屋を選択するための部屋名とが表示される。ユーザは、表示された部屋名の中から、新たに接続された家電機器が設置された部屋名を選択する。表示端末１３０は、ユーザによって選択された部屋名に対応する部屋ＩＤと、家屋ＩＤと、家電ＩＤとをクラウドサーバ１１１へ送信する。クラウドサーバ１１１は、受信した家屋ＩＤ、部屋ＩＤ及び家電ＩＤを対応付けて家電登録情報として家電履歴ＤＢ３２に登録する。
【００９４】
図６（Ａ）は、本実施の形態１における家電登録情報のデータ構造の一例を示す図であり、図６（Ｂ）は、本実施の形態１における家電登録情報の具体的な数値例を示す図である。
【００９５】
図６（Ａ）に示すように、家屋ＩＤと、部屋ＩＤと、家電ＩＤとは、それぞれ対応付けられている。例えば、図６（Ｂ）に示すように、“ＩＤＡ”という家屋ＩＤには、“ＩＤ１”（リビングに対応）、“ＩＤ２”（寝室に対応）及び“ＩＤ３”（キッチンに対応）という複数の部屋ＩＤが対応付けられている。また、各部屋ＩＤには、それぞれの部屋に配置されている複数の家電ＩＤが対応付けられている。例えば、“ＩＤ１”という部屋ＩＤには、“０ｘ１０２０３０４０５０６０７０８０”という家電ＩＤなどが対応付けられている。
【００９６】
ログ情報受信部３１は、第１の家電機器１１ａのログ情報送信部２２によって送信されたログ情報を受信する。ログ情報受信部３１は、ネットワーク１５０を介して家屋内の複数の家電機器の各々の使用電力量を含むログ情報を複数の家電機器の各々から収集する。ログ情報受信部３１は、受信したログ情報に含まれる家電ＩＤに対応する家電機器が配置されている部屋を特定し、特定した部屋に対応する所定時間毎の使用電力量を家電履歴ＤＢ３２から読み出す。そして、ログ情報受信部３１は、家電履歴ＤＢ３２から読み出した所定時間毎の使用電力量に、受信したログ情報に含まれる所定時間毎の使用電力量を加算し、家電履歴ＤＢ３２に記憶する。
【００９７】
表示データ要求受信部３３は、表示端末１３０によって送信された表示データ要求情報を受信する。
【００９８】
図７（Ａ）は、本実施の形態１における表示データ要求情報のデータ構造の一例を示す図であり、図７（Ｂ）は、本実施の形態１における表示データ要求情報の具体的な数値例を示す図である。
【００９９】
図７（Ａ）に示すように、表示データ要求情報は、ユーザが使用電力量の総和の変動の表示を希望する部屋を特定するための部屋ＩＤと、ユーザが使用電力量の総和の変動の表示を希望する日付を特定するための日付情報とを含む。例えば、図７（Ｂ）に示すように、表示データ要求情報は、家屋内の第４の部屋に対応する部屋ＩＤ（ＩＤ４）と、日付（２０１３／１／１８）とを含む。
【０１００】
なお、表示データ要求情報は、日付情報に加えて、ユーザが使用電力量の総和の変動の表示を希望する時間帯を特定するための時間帯情報を含んでいてもよい。
【０１０１】
表示データ要求受信部３３は、受信した表示データ要求情報を電力変動抽出部３４へ出力する。
【０１０２】
電力変動抽出部３４は、家屋内の部屋毎に集計された使用電力量の総和の所定時間毎の変動を表す電力変動データを抽出する。電力変動抽出部３４は、表示データ要求情報に基づいて、部屋と日付とを特定し、特定した部屋と日付とに対応する使用電力量の総和の所定時間毎の変動を表す電力変動データを家電履歴ＤＢ３２から抽出する。
【０１０３】
表示データ生成部３５は、電力変動抽出部３４によって抽出された電力変動データに基づいて、家屋内の部屋毎に集計された使用電力量の総和の所定時間毎の変動を表す表示画面に関する表示データを生成する。
【０１０４】
表示データ送信部３６は、表示データ生成部３５によって生成された表示データを表示端末１３０へ送信する。表示データ送信部３６は、ユーザが使用する表示端末１３０に、生成された表示データを提供する。
【０１０５】
図３において、表示端末１３０は、操作部４１、表示データ要求送信部４２、表示データ受信部４３及び表示部４４を備える。
【０１０６】
操作部４１は、ユーザの操作を受け付ける。操作部４１は、家屋内の部屋毎に集計された使用電力量の総和の所定時間毎の変動を表す表示画面を表示する旨のユーザからの指示を受け付ける。操作部４１は、使用電力量の総和の変動の表示を希望する部屋と、使用電力量の総和の変動の表示を希望する日付との入力操作を受け付ける。
【０１０７】
表示データ要求送信部４２は、操作部４１によるユーザの指示に応じて、表示データ要求情報をクラウドサーバ１１１へ送信する。上述したように、表示データ要求情報は、ユーザが使用電力量の総和の変動の表示を希望する部屋を特定するための部屋ＩＤと、ユーザが使用電力量の総和の変動の表示を希望する日付を特定するための日付情報とを含む。
【０１０８】
表示データ受信部４３は、クラウドサーバ１１１の表示データ送信部３６によって送信された表示データを受信する。
【０１０９】
表示部４４は、表示データ受信部４３によって受信された表示データに基づいて、所望の部屋の使用電力量の総和の所定時間毎の変動を表す表示画面を表示する。
【０１１０】
なお、操作部４１と表示部４３は、例えば、タッチパネル式ディスプレイのように操作部４１と表示部４３とが一体となるようＧＵＩ（Ｇｒａｐｈｉｃａｌ  Ｕｓｅｒ  Ｉｎｔｅｒｆａｃｅ）を形成していてもよく、また例えば、表示端末１３０は、キーボート又はマウスなどのポインティングデバイスと、ディスプレイとのように、操作部４１と表示部４３とをそれぞれ独立して備えていてもよい。
【０１１１】
続いて、本発明の実施の形態１における情報管理システムの処理の全体の流れについて説明する。
【０１１２】
図８は、本発明の実施の形態１における情報管理システムの処理の全体の流れを示す図である。
【０１１３】
まず、第１の家電機器１１ａは、家電ＩＤと電力履歴とを含むログ情報をクラウドサーバ１１１へ送信する。
【０１１４】
次に、クラウドサーバ１１１は、受信したログ情報に含まれる電力履歴を部屋毎に蓄積する。
【０１１５】
次に、表示端末１３０は、部屋ＩＤと日付とを含む表示データ要求情報をクラウドサーバ１１１へ送信する。
【０１１６】
次に、クラウドサーバ１１１は、家屋内の所望の部屋の使用電力量の総和の所定時間毎の変動を表す表示画面に関する表示データを生成する。すなわち、クラウドサーバ１１１は、表示端末１３０からの表示データ要求情報を受信し、受信した表示データ要求情報に基づいて、部屋と日付とを特定し、特定した部屋と日付に対応する使用電力量の総和の変動を表す電力変動データを家電履歴ＤＢ３２から抽出する。そして、クラウドサーバ１１１は、抽出された電力変動データに基づいて、所望の部屋の使用電力量の総和の所定時間毎の変動を表す表示画面に関する表示データを生成する。
【０１１７】
次に、クラウドサーバ１１１は、生成した表示データを表示端末１３０へ送信する。
【０１１８】
次に、表示端末１３０は、クラウドサーバ１１１によって送信された表示データを受信し、受信した表示データに基づいて、所望の部屋の使用電力量の総和の所定時間毎の変動を表す表示画面を表示する。
【０１１９】
続いて、本発明の実施の形態１において、クラウドサーバ１１１が使用電力量を蓄積する処理について説明する。
【０１２０】
図９は、本発明の実施の形態１における使用電力量蓄積処理を説明するためのフローチャートである。
【０１２１】
まず、ステップＳ１において、ログ情報受信部３１は、第１の家電機器１１ａから送信されたログ情報を受信する。
【０１２２】
次に、ステップＳ２において、ログ情報受信部３１は、家電履歴ＤＢ３２を参照し、受信したログ情報に含まれる家電ＩＤに対応付けられている部屋ＩＤを特定する。
【０１２３】
次に、ステップＳ３において、ログ情報受信部３１は、特定した部屋ＩＤに対応付けられている所定時間毎の使用電力量を示す電力履歴を家電履歴ＤＢ３２から読み出す。
【０１２４】
次に、ステップＳ４において、ログ情報受信部３１は、読み出した所定時間毎の使用電力量に、受信したログ情報に含まれる所定時間毎の使用電力量を積算する。これにより、ログ情報受信部３１は、家屋内の部屋毎の複数の家電機器の使用電力量の総和を所定時間毎に集計する。
【０１２５】
次に、ステップＳ５において、ログ情報受信部３１は、積算した所定時間毎の使用電力量を家電履歴ＤＢ３２に記憶する。これにより、家屋内の部屋毎に集計された使用電力量の総和の所定時間毎の変動が家電履歴ＤＢ３２に記憶される。
【０１２６】
続いて、本発明の実施の形態１において、クラウドサーバ１１１が表示データを送信する処理について説明する。
【０１２７】
図１０は、本発明の実施の形態１における表示データ送信処理を説明するためのフローチャートである。
【０１２８】
まず、ステップＳ１１において、表示データ要求受信部３３は、表示端末１３０によって送信された表示データ要求情報を受信する。
【０１２９】
次に、ステップＳ１２において、電力変動抽出部３４は、表示データ要求受信部３３によって受信された表示データ要求情報に基づいて、部屋と日付とを特定し、特定した部屋と日付とに対応する使用電力量の総和の所定時間毎の変動を表す電力変動データを家電履歴ＤＢ３２から抽出する。
【０１３０】
次に、ステップＳ１３において、表示データ生成部３５は、電力変動抽出部３４によって抽出された電力変動データに基づいて、家屋内の部屋毎に集計された使用電力量の総和の所定時間毎の変動を表す表示画面に関する表示データを生成する。
【０１３１】
次に、ステップＳ１４において、表示データ送信部３６は、表示データ生成部３５によって生成された表示データを表示端末１３０へ送信する。
【０１３２】
ここで、表示端末１３０の表示部４４に表示される表示画面について説明する。
【０１３３】
図１１は、本実施の形態１における表示画面の一例を示す図である。図１１に示すように、表示画面３０１には、電力変動画像３０２、第１のボタン３０３、第２のボタン３０４及び第３のボタン３０５が表示される。
【０１３４】
電力変動画像３０２は、ユーザによって指定された部屋における、ユーザによって指定された日付の午前０時から翌日の午前０時までの間の使用電力量の所定時間毎の変動をグラフ化した画像である。図１１に示す電力変動画像３０２では、ユーザによって指定された部屋の名称が“お父さんの部屋”と表示され、ユーザによって指定された日付が“２０１３／１／１８”と表示される。なお、図１１では、使用電力量の所定時間毎の変動は、折れ線グラフで表しているが、本発明は特にこれに限定されず、棒グラフ又は他の形式で表してもよい。
【０１３５】
また、第１のボタン３０３は、現在表示されている電力履歴の前日の電力履歴を表示するためのボタンであり、第２のボタン３０４は、現在表示されている電力履歴の翌日の電力履歴を表示するためのボタンである。また、第３のボタン３０５は、ユーザが指定する部屋を選択するための選択画面に移行するためのボタンである。例えば、表示部４４がタッチパネル式ディスプレイであれば、第１のボタン３０３、第２のボタン３０４又は第３のボタン３０５がタッチされることにより、それぞれのボタンに対応する画面に移行する。
【０１３６】
ここで、ユーザが所定の部屋にいる場合の電力履歴と、ユーザが所定の部屋にいない場合の電力履歴とについて説明する。
【０１３７】
図１２は、ユーザが第４の部屋にいる場合の電力履歴の一例を示す図であり、図１３は、ユーザが第４の部屋にいない場合の電力履歴の一例を示す図である。
【０１３８】
図１２及び図１３に示すように、例えば、家屋には、第１〜第７の部屋が存在している。図１２及び図１３に示すように、第４の部屋に住人がいる場合の使用電力量の変化は、第４の部屋に住人がいない場合の使用電力量の変化に比べて大きくなっている。
【０１３９】
このように、ユーザは、表示画面３０１に表示される所望の部屋の使用電力量の変化を確認することにより、部屋に住人が在室していたか否かを判断することができる。
【０１４０】
また、図１２及び図１３に示すように、第４の部屋に住人がいる場合の使用電力量は、第４の部屋の住人がいない場合の使用電力量に比べて大きくなっている。
【０１４１】
このように、表示画面３０１に表示される所望の部屋の使用電力量の多寡によっても、部屋に住人が在室していたか否かを判断することができる。
【０１４２】
なお、部屋に住人が在室していたか否かの判断は、使用電力量の変化の大きさ及び使用電力量の多寡の両方に基づいて判断してもよい。
【０１４３】
本実施の形態１では、家屋の中の各部屋において住人が在室していたか否かを判断する際に、各部屋に配置されている複数の家電機器の個々の使用電力量を提示する必要はない。また、従来のシステムでは、各部屋に配置されている複数の家電機器の中のいずれか一つの使用電力量が表示される場合、ユーザに家電機器を選択するための選択操作を要請する必要がある。仮に、ユーザに複数の家電機器の中のいずれか一つの家電機器を選択させたとしても、部屋毎に配置されている家電機器の種類は異なるので、従来のシステムでは、家全体でどの部屋に誰がいるかを漏れなく判断するのは困難である。
【０１４４】
一方、本実施の形態１では、部屋単位で使用電力量の履歴が表示されるので、各部屋のいずれかの家電機器が電力を消費していれば、部屋単位で住人が在室しているか否かを判断することができる。そのため、ユーザによる家電機器の選択を要求することなく、部屋単位で住人が在室しているか否かを簡易に且つ漏れなく判断することができる。
【０１４５】
また、部屋単位で使用電力量の履歴が表示されることで、家の中のどこかに誰かがいるという漠然とした判断ではなく、例えば家族又はルームメイトなどの共同居住者の構成員が自身の部屋に在室しているか否かという判断を、確実に判断することができる。例えば、子供部屋の使用電力量の履歴を確認することにより、子供部屋の住人である子供が在室していたか否かを確実に判断することができる。
【０１４６】
なお、本実施の形態１では、部屋毎の使用電力量の履歴のみが表示されるが、本発明は特にこれに限定されない。部屋毎の使用電力量の履歴とともに、電源がオン又はオフされたことを示す機器操作情報を表示してもよい。
【０１４７】
図１４は、本実施の形態１の変形例における表示画面の一例を示す図である。図１４に示すように、表示画面３０６には、電力変動画像３０２、第１のボタン３０３、第２のボタン３０４及び第３のボタン３０５が表示される。
【０１４８】
図１４に示す電力変動画像３０２は、ユーザによって指定された部屋における、ユーザによって指定された日付の午前０時から翌日の午前０時までの間の使用電力量をグラフ化した画像である。また、電力変動画像３０２には、ユーザが電源をオンした家電機器（例えばテレビ）と時刻とが表示される。
【０１４９】
すなわち、表示データは、家屋内の少なくとも一の部屋に置かれた少なくとも一の家電機器に対するユーザの操作の有無を表す操作情報を含んでもよい。また、少なくとも一の家電機器は冷蔵庫を含んでもよく、操作情報は、冷蔵庫の扉の開閉を検知するセンサによって検知された冷蔵庫の扉の開閉を表す情報を含んでもよい。さらに、少なくとも一の家電機器は空気清浄機を含んでもよく、操作情報は、空気清浄機の動作モードの変更を受け付ける操作部によって受け付けられた空気清浄機の動作モードの変更を表す情報を含んでもよい。
【０１５０】
このように、部屋毎の使用電力量の履歴とともに、少なくとも一の家電機器に対するユーザの操作の有無を表す操作情報が表示されることにより、不在時であっても電源がオンされている家電機器が存在する場合であっても、住人が部屋に在室しているか否かを確実に判断することができる。なお、不在時であっても電源がオンされている家電機器としては、例えば、空気清浄機、冷蔵庫、炊飯器及び電子ポット等がある。
【０１５１】
（実施の形態２）
続いて、本発明の実施の形態２における情報管理システムについて説明する。実施の形態２では、家屋内の部屋毎に集計された使用電力量の総和の所定時間毎の変動を表す表示画面の修正が受け付けられ、修正された表示画面に関する表示データが生成され、生成された表示データがユーザに提供される。
【０１５２】
図１５は、本発明の実施の形態２における情報管理システムの構成を示すブロック図である。なお、実施の形態２における情報管理システムの全体構成は、図２に示す実施の形態１における情報管理システムの全体構成と同じである。また、以下の説明では、実施の形態１と同じ構成については説明を省略し、実施の形態１と異なる構成についてのみ説明する。
【０１５３】
図１５において、第１の家電機器１１ａは、ログ情報記憶部２１及びログ情報送信部２２を備える。
【０１５４】
図１５において、表示端末１３０は、操作部４１、表示データ要求送信部４２、表示データ受信部４３、表示部４４及び修正指示送信部４５を備える。
【０１５５】
操作部４１は、家屋内の部屋毎に集計された使用電力量の総和の所定時間毎の変動を表す表示画面を表示する旨のユーザからの指示を受け付ける。操作部４１は、使用電力量の総和の変動の表示を希望する部屋と、使用電力量の総和の変動の表示を希望する日付との入力操作を受け付ける。さらに、操作部４１は、クラウドサーバ１１１から表示端末１３０に提供された表示データの内容のユーザによる修正指示を受け付ける。
【０１５６】
修正指示送信部４５は、操作部４１によって修正指示が受け付けられた場合、表示内容を修正することを表す修正指示情報をクラウドサーバ１１１へ送信する。修正指示情報は、ユーザが部屋に在室していることを表す表示データをユーザが部屋に不在であることを表す表示データに変更するか、ユーザが部屋に不在であることを表す表示データをユーザが部屋に在室していることを表す表示データに変更するかを示す修正フラグで構成される。
【０１５７】
図１６（Ａ）は、本実施の形態２における修正指示情報のデータ構造の一例を示す図であり、図１６（Ｂ）は、本実施の形態２における修正指示情報の具体例を示す図である。
【０１５８】
図１６（Ａ）に示すように、修正指示情報は、表示データの内容を修正するか否かを示す修正フラグを含む。例えば、図１６（Ｂ）に示すように、ユーザが部屋に在室していることを表す表示データをユーザが部屋に不在であることを表す表示データに変更する場合、修正指示情報は、“不在”という修正フラグを含む。また、ユーザが部屋に不在であることを表す表示データをユーザが部屋に在室していることを表す表示データに変更する場合、修正指示情報は、“在”という修正フラグを含む。
【０１５９】
クラウドサーバ１１１は、表示端末１３０に提供された表示データの内容を修正するための修正指示を受け付けた場合、家電履歴ＤＢ３２の登録内容を変更せずに、表示データの内容を修正する。また、クラウドサーバ１１１は、表示データの内容を修正した後、修正後の表示データを表示端末１３０に提供する。
【０１６０】
図１５において、クラウドサーバ１１１は、ログ情報受信部３１、家電履歴データベース（ＤＢ）３２、表示データ要求受信部３３、電力変動抽出部３４、表示データ生成部３５、表示データ送信部３６、修正指示受信部３７及び修正フラグ設定部３８を備える。
【０１６１】
修正指示受信部３７は、表示端末１３０の修正指示送信部４５によって送信された修正指示情報を受信する。
【０１６２】
修正フラグ設定部３８は、現在表示端末１３０に表示している表示データの部屋ＩＤと日付とを特定し、特定した部屋ＩＤと日付とに対応付けられている電力履歴情報に、修正指示情報に含まれる修正フラグを設定し、家電履歴ＤＢ３２に格納する。
【０１６３】
家電履歴ＤＢ３２は、複数の家電機器の使用電力量の総和の所定時間毎の変動を示す電力履歴情報と、ユーザが部屋に在室している場合の電力履歴及びユーザが部屋に不在である場合の電力履歴を示す在／不在電力履歴情報と、表示データを修正するか否かを示す修正フラグ情報とを部屋ＩＤに対応付けて記憶する。
【０１６４】
図１７は、本実施の形態２における家電履歴ＤＢに格納される情報のデータ構造の一例を示す図であり、図１８は、図１７に示す電力履歴情報の具体例を示す図であり、図１９は、図１７に示す在室電力履歴情報及び不在電力履歴情報の具体例を示す図であり、図２０は、図１７に示す修正フラグ情報の具体例を示す図である。
【０１６５】
図１７に示すように、家電履歴ＤＢ３２は、複数の家電機器の使用電力量の総和の所定時間毎の変動を示す電力履歴情報と、ユーザが部屋に在室している場合の電力履歴及びユーザが部屋に不在である場合の電力履歴を示す在／不在電力履歴情報と、表示データを修正するか否かを示す修正フラグ情報とを部屋毎に記憶している。
【０１６６】
図１８に示すように、電力履歴情報は、日付と、１時間毎の部屋の使用電力量の総和とを含む。また、図１９に示すように、在／不在電力履歴情報は、ユーザが部屋に在室している場合の電力履歴と、ユーザが部屋に不在である場合の電力履歴とを含む。さらに、図２０に示すように、修正フラグ情報は、表示データを修正する日付と、ユーザが部屋に在室していることを表す表示データをユーザが部屋に不在であることを表す表示データに変更するか、ユーザが部屋に不在であることを表す表示データをユーザが部屋に在室していることを表す表示データに変更するかを示す修正フラグとを含む。
【０１６７】
なお、在／不在電力履歴情報は、予めユーザによって登録されるとしてもよい。ユーザは、例えば表示端末１３０を用いて、ユーザが部屋に在室していることを表す電力履歴とユーザが部屋に不在であることを表す電力履歴とを入力し、クラウドサーバ１１１へ送信する。クラウドサーバ１１１は、受信したユーザが部屋に在室していることを表す電力履歴とユーザが部屋に不在であることを表す電力履歴とを、部屋ＩＤに対応付けて家電履歴ＤＢ３２に登録する。
【０１６８】
電力変動抽出部３４は、表示データ要求情報に基づいて、部屋と日付とを特定し、特定した部屋と日付とに対応する修正フラグが設定されているか否かを判断する。修正フラグが設定されていない場合、電力変動抽出部３４は、特定した部屋と日付とに対応する使用電力量の総和の所定時間毎の変動を表す電力変動データ（電力履歴情報）を家電履歴ＤＢ３２から抽出する。一方、修正フラグが設定されており、ユーザが部屋に不在であることを表す電力履歴に修正する場合、電力変動抽出部３４は、特定した部屋に対応する、ユーザが部屋に不在であることを表す電力変動データ（在／不在電力履歴情報）を家電履歴ＤＢ３２から抽出する。また、修正フラグが設定されており、ユーザが部屋に在室していることを表す電力履歴に修正する場合、電力変動抽出部３４は、特定した部屋に対応する、ユーザが部屋に在室していることを表す電力変動データ（在／不在電力履歴情報）を家電履歴ＤＢ３２から抽出する。
【０１６９】
表示データ生成部３５は、電力変動抽出部３４によって抽出された電力変動データに基づいて、家屋内の部屋毎に集計された使用電力量の総和の所定時間毎の変動を表す表示画面に関する表示データを生成する。
【０１７０】
なお、修正フラグ情報は、表示データを修正する日付及び時間帯を含んでいてもよく、修正フラグ情報に含まれる時間帯に、ユーザが部屋に在室していることを表す表示データをユーザが部屋に不在であることを表す表示データに変更するか、ユーザが部屋に不在であることを表す表示データをユーザが部屋に在室していることを表す表示データに変更するかを示す修正フラグを含んでいてもよい。
【０１７１】
また、表示データ要求情報は、日付情報に加えて、ユーザが使用電力量の総和の変動の表示を希望する時間帯を特定するための時間帯情報を含んでいてもよく、電力変動抽出部３４は、表示データ要求情報に基づいて、部屋と日付と時間帯とを特定し、特定した部屋、日付及び時間帯に対応する修正フラグが設定されているかを判断するとしてもよい。
【０１７２】
続いて、本発明の実施の形態２における情報管理システムの修正フラグ設定処理の流れについて説明する。
【０１７３】
図２１は、本発明の実施の形態２における情報管理システムの修正フラグ設定処理の流れを示す図である。
【０１７４】
なお、表示端末１３０が表示画面を表示するまでの処理は、実施の形態１の図８における処理と同じであるので説明を省略する。
【０１７５】
表示端末１３０は、表示画面が表示された後、表示データの内容を修正する場合、修正指示情報をクラウドサーバ１１１へ送信する。
【０１７６】
次に、クラウドサーバ１１１は、表示データの内容を修正するか否かを表す修正フラグを家電履歴ＤＢ３２に設定する。すなわち、クラウドサーバ１１１は、修正指示情報を受信し、現在表示端末１３０に表示している表示データの部屋ＩＤと日付とを特定し、特定した部屋ＩＤと日付とに対応付けられている電力履歴情報に、修正指示情報に含まれる修正フラグを設定し、家電履歴ＤＢ３２に格納する。
【０１７７】
次に、クラウドサーバ１１１は、修正を受け付けたことを表す修正受付通知を表示端末１３０へ送信する。なお、表示端末１３０は、修正受付通知をクラウドサーバ１１１から受信すると、修正が受け付けられたことを表す修正受付画面を表示部４４に表示してもよい。
【０１７８】
続いて、本発明の実施の形態２において、クラウドサーバ１１１が修正フラグを設定する処理について説明する。
【０１７９】
図２２は、本発明の実施の形態２における修正フラグ設定処理を説明するためのフローチャートである。
【０１８０】
まず、ステップＳ２１において、修正指示受信部３７は、表示端末１３０の修正指示送信部４５によって送信された修正指示情報を受信する。
【０１８１】
次に、ステップＳ２２において、修正フラグ設定部３８は、現在表示端末１３０に表示している表示データの部屋ＩＤと日付とを特定する。なお、修正フラグ設定部３８は、表示データ生成部３５によって生成された表示データに基づいて部屋ＩＤと日付とを特定する。なお、修正指示情報は、部屋ＩＤ及び日付を含んでもよく、修正フラグ設定部３８は、修正指示情報に含まれる部屋ＩＤ及び日付に基づいて、部屋ＩＤと日付とを特定してもよい。
【０１８２】
次に、ステップＳ２３において、修正フラグ設定部３８は、特定した部屋ＩＤと日付とに対応付けられている電力履歴情報に、修正指示情報に含まれる修正フラグを設定し、家電履歴ＤＢ３２に格納する。すなわち、修正フラグ設定部３８は、特定した部屋ＩＤに対応付けられている家電履歴ＤＢ３２内の修正フラグ情報に、特定した日付と修正指示情報に含まれる修正フラグとを格納する。
【０１８３】
ここで、電力履歴を修正する際に、表示端末１３０の表示部４４に表示される表示画面について説明する。
【０１８４】
図２３は、本実施の形態２において、電力履歴を修正する際に表示される表示画面の一例を示す図であり、図２４は、本実施の形態２において、電力履歴を修正する際に表示される修正確認画面の一例を示す図である。
【０１８５】
図２３に示すように、表示画面３１１には、電力変動画像３１２、第１のボタン３１３、第２のボタン３１４、第３のボタン３１５及び第４のボタン３１６が表示される。
【０１８６】
電力変動画像３１２は、ユーザによって電力履歴を修正する部屋として指定された部屋における、ユーザによって指定された日付の午前０時から翌日の午前０時までの間の使用電力量をグラフ化した画像である。図２３に示す電力変動画像３１２では、ユーザによって指定された電力履歴を修正する部屋の名称が“お父さんの部屋”と表示され、ユーザによって指定された電力履歴を修正する日付が“２０１３／１／１８”と表示される。
【０１８７】
また、第１のボタン３１３は、現在表示されている電力履歴を、ユーザが部屋に在室している場合の電力履歴に修正する指示を行うためのボタンであり、第２のボタン３１４は、現在表示されている電力履歴を、ユーザが部屋に不在である場合の電力履歴に修正する指示を行うためのボタンである。また、第３のボタン３１５は、現在表示されている電力履歴の前日の電力履歴を表示するためのボタンであり、第４のボタン３１６は、現在表示されている電力履歴の翌日の電力履歴を表示するためのボタンである。例えば、表示部４４がタッチパネル式ディスプレイであれば、第１のボタン３１３、第２のボタン３１４、第３のボタン３１５又は第４のボタン３１６がタッチされることにより、それぞれのボタンに対応する画面に移行する。
【０１８８】
例えば、ユーザによって第２のボタン３１４が選択された場合、図２４に示す修正確認画面３２１が表示部４４に表示される。なお、修正確認画面３２１は、表示データ生成部３５によって生成される。
【０１８９】
図２４に示すように、修正確認画面３２１には、電力変動画像３２２、第１のボタン３２３及び第２のボタン３２４が表示される。
【０１９０】
電力変動画像３２２は、ユーザによって電力履歴を修正する部屋として指定された部屋における、ユーザによって指定された日付の午前０時から翌日の午前０時までの間の修正後の使用電力量をグラフ化した画像である。電力変動画像３２２は、ユーザが部屋に不在である場合の電力履歴に修正されている。図２４に示す電力変動画像３２２では、ユーザによって指定された電力履歴を修正する部屋の名称が“お父さんの部屋”と表示され、ユーザによって指定された電力履歴を修正する日付が“２０１３／１／１８”と表示される。また、電力変動画像３２２の上部には、“以下のように、修正しますが、よろしいでしょうか？”との文字が表示され、表示された修正後の電力履歴でよいかの確認を促す。
【０１９１】
また、第１のボタン３２３は、現在表示されている修正後の電力履歴で確定する指示を行うためのボタンであり、第２のボタン３２４は、現在表示されている修正後の電力履歴をさらに修正する指示を行うためのボタンである。例えば、表示部４４がタッチパネル式ディスプレイであれば、第１のボタン３２３又は第２のボタン３２４がタッチされることにより、それぞれのボタンに対応する指示が出力される。
【０１９２】
続いて、本発明の実施の形態２において、クラウドサーバ１１１が表示データを送信する処理について説明する。
【０１９３】
図２５は、本発明の実施の形態２における表示データ送信処理を説明するためのフローチャートである。
【０１９４】
なお、表示端末１３０が表示データ要求情報を送信するまでの処理は、実施の形態１の図８における処理と同じであるので説明を省略する。
【０１９５】
クラウドサーバ１１１は、表示端末１３０から表示データ要求情報を受信すると、表示データ要求情報に基づいて、部屋と日付とを特定し、特定した部屋と日付とに対応する修正フラグが設定されているか否かを判断する。
【０１９６】
次に、クラウドサーバ１１１は、修正フラグが設定されているか否かの判断結果に基づいて、家屋内の所望の部屋の使用電力量の総和の所定時間毎の変動を表す表示画面に関する表示データを生成する。すなわち、クラウドサーバ１１１は、修正フラグが設定されていない場合、特定した部屋と日付とに対応する使用電力量の総和の所定時間毎の変動を表す電力変動データ（電力履歴情報）を家電履歴ＤＢ３２から抽出する。一方、クラウドサーバ１１１は、修正フラグが設定されており、ユーザが部屋に不在であることを表す電力履歴に修正する場合、特定した部屋に対応する、ユーザが部屋に不在であることを表す電力変動データ（在／不在電力履歴情報）を家電履歴ＤＢ３２から抽出する。また、クラウドサーバ１１１は、修正フラグが設定されており、ユーザが部屋に在室していることを表す電力履歴に修正する場合、特定した部屋に対応する、ユーザが部屋に在室していることを表す電力変動データ（在／不在電力履歴情報）を家電履歴ＤＢ３２から抽出する。
【０１９７】
次に、クラウドサーバ１１１は、生成した表示データを表示端末１３０へ送信する。
【０１９８】
次に、表示端末１３０は、クラウドサーバ１１１によって送信された表示データを受信し、受信した表示データに基づいて、所望の部屋の使用電力量の総和の所定時間毎の変動を表す表示画面を表示する。
【０１９９】
続いて、本発明の実施の形態２において、クラウドサーバ１１１が表示データを送信する処理について説明する。
【０２００】
図２６は、本発明の実施の形態２における表示データ送信処理を説明するためのフローチャートである。
【０２０１】
まず、ステップＳ３１において、表示データ要求受信部３３は、表示端末１３０によって送信された表示データ要求情報を受信する。
【０２０２】
次に、ステップＳ３２において、電力変動抽出部３４は、表示データ要求受信部３３によって受信された表示データ要求情報に基づいて、部屋と日付とを特定し、特定した部屋と日付とに対応する修正フラグが設定されているか否かを判断する。
【０２０３】
ここで、修正フラグが設定されていないと判断された場合（ステップＳ３２でＮＯ）、ステップＳ３３において、電力変動抽出部３４は、特定した部屋と日付とに対応する使用電力量の総和の所定時間毎の変動を表す電力変動データ（電力履歴情報）を家電履歴ＤＢ３２から抽出する。
【０２０４】
次に、ステップＳ３４において、表示データ生成部３５は、電力変動抽出部３４によって抽出された電力変動データ（電力履歴情報）に基づいて、家屋内の部屋毎に集計された使用電力量の総和の所定時間毎の変動を表す表示画面に関する表示データを生成する。
【０２０５】
一方、修正フラグが設定されていると判断された場合（ステップＳ３２でＹＥＳ）、ステップＳ３５において、電力変動抽出部３４は、修正フラグが、ユーザが部屋に在室していることを表す修正フラグであるか、すなわち修正フラグが“在”であるか否かを判断する。
【０２０６】
ここで、修正フラグが“在”であると判断された場合（ステップＳ３５でＹＥＳ）、ステップＳ３６において、電力変動抽出部３４は、特定した部屋に対応する、ユーザが部屋に在室していることを表す電力変動データ（在／不在電力履歴情報）を家電履歴ＤＢ３２から抽出する。
【０２０７】
次に、ステップＳ３７において、表示データ生成部３５は、電力変動抽出部３４によって抽出された電力変動データ（在／不在電力履歴情報）に基づいて、ユーザが部屋に在室している場合の使用電力量の総和の所定時間毎の変動を表す表示画面に関する表示データを生成する。これにより、実際には、ユーザは部屋に不在であったにもかかわらず、ユーザが部屋に在室していた場合の表示データに修正することができる。
【０２０８】
一方、修正フラグが“在”ではないと判断された場合、すなわち修正フラグが“不在”であると判断された場合（ステップＳ３５でＮＯ）、ステップＳ３８において、電力変動抽出部３４は、特定した部屋に対応する、ユーザが部屋に不在であることを表す電力変動データ（在／不在電力履歴情報）を家電履歴ＤＢ３２から抽出する。
【０２０９】
次に、ステップＳ３９において、表示データ生成部３５は、電力変動抽出部３４によって抽出された電力変動データ（在／不在電力履歴情報）に基づいて、ユーザが部屋に不在である場合の使用電力量の総和の所定時間毎の変動を表す表示画面に関する表示データを生成する。これにより、実際には、ユーザは部屋に在室していたにもかかわらず、ユーザが部屋に不在であった場合の表示データに修正することができる。
【０２１０】
次に、ステップＳ４０において、表示データ送信部３６は、表示データ生成部３５によって生成された表示データを表示端末１３０へ送信する。
【０２１１】
なお、本実施の形態２では、家電履歴ＤＢ３２が、ユーザが部屋に在室している場合の電力履歴及びユーザが部屋に不在である場合の電力履歴を示す在／不在電力履歴情報を予め記憶しているが、本発明は特にこれに限定されない。電力変動抽出部３４は、ユーザが部屋に在室している電力履歴に修正する場合、現在の日付に最も近く、ユーザが部屋に在室していた日付の電力履歴情報を家電履歴ＤＢ３２から抽出してもよい。また、電力変動抽出部３４は、ユーザが部屋に不在である電力履歴に修正する場合、現在の日付に最も近く、ユーザが部屋に不在であった日付の電力履歴情報を家電履歴ＤＢ３２から抽出してもよい。このとき、例えば、電力変動抽出部３４は、１日の電力履歴の平均値が所定の値より小さい場合に、ユーザが部屋に不在であった日付の電力履歴情報であると判断し、１日の電力履歴の平均値が所定の値以上である場合に、ユーザが部屋に在室していた日付の電力履歴情報であると判断する。
【０２１２】
図２７は、本実施の形態２において、表示データを修正する他の例を説明するための図である。
【０２１３】
図２７に示すように、例えば、ユーザが部屋に在室していた２０１３年１月１８日の電力履歴を修正する場合、電力変動抽出部３４は、現在の日付に最も近く、ユーザが部屋に不在であった２０１３年１月１７日の電力履歴情報を家電履歴ＤＢ３２から抽出する。
【０２１４】
そして、表示データ生成部３５は、電力変動抽出部３４によって抽出された電力変動データ（電力履歴情報）に基づいて、修正後の電力履歴を表す表示画面に関する表示データを生成する。
【０２１５】
クラウドサーバ１１１は、表示端末１３０から表示データの内容の修正指示を受け付けた場合、家屋内のいずれの部屋のいずれの時間帯における使用電力量の変動を修正するかを選択させる修正画面に関する修正画面データを表示端末１３０に提供してもよい。また、クラウドサーバ１１１は、表示端末１３０によって修正対象として選択された時間帯及び部屋を示す選択情報を受け付けてもよい。また、クラウドサーバ１１１は、受け付けた選択情報で示される時間帯及び部屋に対応する使用電力量の総和の変動を表す修正対象データと傾向が異なるデータであって選択情報で示される時間帯を含む日よりも前の日における選択情報で示される時間帯と同じ時間帯の選択情報で示される部屋に対応する使用電力量の総和の変動を表す電力参照データに基づいて、表示データの内容を修正してもよい。
【０２１６】
このとき、クラウドサーバ１１１は、修正対象データを電力参照データに置換することで表示データの内容を修正する。また、修正対象データが、ユーザが部屋に在室している際の電力変動データである場合は、修正対象データと傾向が異なるデータは、ユーザが部屋に不在である際の電力変動データである。また、修正対象データが、ユーザが部屋に不在である際の電力変動データである場合は、修正対象データと傾向が異なるデータは、ユーザが部屋に在室している際の電力変動データである。
【０２１７】
このように、実施の形態２では、部屋単位で各部屋での所定時間毎の使用電力量の総和の履歴が家電履歴ＤＢ３２に蓄積され、クラウドサーバ１１１の家電履歴ＤＢ３２内の登録内容は変更せずに、表示端末１３０に表示する表示データが修正される。
【０２１８】
これにより、例えば、家族又はルームメイトなどの共同居住者の構成員が過去の在室状況に関する情報を、他の構成員に知られたくない場合、クラウドサーバ１１１の家電履歴ＤＢ３２の登録内容を変更することなく、他の構成員への提示内容を変更することができる。
【０２１９】
また、共同居住者らが、家屋の中の各部屋での在室状況に関する情報を共同で利用する場合であっても、プライバシーを配慮したシステムを実現できる。
【０２２０】
また、表示データを修正する場合に、ある部屋での電力履歴をどのように修正すればよいかが分からなかったり、修正作業が煩雑であったりする。しかしながら、例えば、直近の同一時間帯の電力履歴を利用することにより、不自然な形でない表示データに簡易に修正することができる。
【０２２１】
なお、本実施の形態２では、クラウドサーバ１１１は、ユーザが部屋に不在であることを表す電力履歴をユーザが部屋に在室していることを表す電力履歴に修正するとともに、ユーザが部屋に在室していることを表す電力履歴をユーザが部屋に不在であることを表す電力履歴に修正しているが、本発明は特にこれに限定されない。クラウドサーバ１１１は、部屋毎の使用電力量の総和の所定時間毎の変動を表す電力履歴の変動幅を修正してもよい。
【０２２２】
図２８は、本実施の形態２において、電力履歴の変動幅を修正する例について説明するための図である。図２８に示すように、クラウドサーバ１１１は、表示端末１３０からの修正指示に基づいて、電力履歴の変動幅４１１を修正する。これにより、部屋の居住者が、どのような家電機器を使用していたかを他の居住者に対して分からなくすることができる。例えば、部屋の居住者がテレビを試聴していた場合、図２８の左図に示すように、使用電力量の変動幅４１１は大きくなる。図２８の右図に示すように、クラウドサーバ１１１は、変動幅４１１が小さくなるように修正することにより、部屋の居住者がテレビを試聴していたことを他の居住者に対して分からなくすることができる。
【０２２３】
これにより、居住者がどの家電機器を使用していたかを他の居住者に知られたくない場合に、プライバシーに配慮した情報管理システムを実現することができる。
【０２２４】
（実施の形態３）
続いて、本発明の実施の形態３における情報管理システムについて説明する。実施の形態３では、家屋を共同で利用する複数のユーザが共同で用いるスケジュールを表すスケジュールデータが管理され、管理されているスケジュールデータに基づいて特定される電力変動データと、抽出された電力変動データとが一致しない時間帯及び部屋が特定され、特定された時間帯及び部屋を示す修正候補データが表示端末に提供される。
【０２２５】
図２９は、本発明の実施の形態３における情報管理システムの構成を示すブロック図である。なお、実施の形態３における情報管理システムの全体構成は、図２に示す実施の形態１における情報管理システムの全体構成と同じである。また、以下の説明では、実施の形態１，２と同じ構成については説明を省略し、実施の形態１，２と異なる構成についてのみ説明する。
【０２２６】
図２９において、第１の家電機器１１ａは、ログ情報記憶部２１及びログ情報送信部２２を備える。
【０２２７】
図２９において、表示端末１３０は、操作部４１、表示データ要求送信部４２、表示データ受信部４３、表示部４４、スケジュール作成部４６、スケジュール送信部４７、修正確認画面受信部４８、修正確認処理部４９及び修正確認結果送信部５０を備える。
【０２２８】
スケジュール作成部４６は、家屋を共同で利用する複数のユーザが共同で用いるスケジュールを表すスケジュールデータを作成する。ユーザは、操作部４１を用いてスケジュールデータを入力する。スケジュールデータは、部屋ＩＤ、開始日時情報、終了日時情報及び場所情報を含む。部屋ＩＤは、スケジュールを入力したユーザが利用する部屋を特定するための情報である。なお、スケジュールデータは、部屋ＩＤではなく、ユーザ自身を特定するためのユーザＩＤを含んでもよく、部屋ＩＤ及びユーザＩＤを共に含んでもよい。
【０２２９】
また、スケジュール作成部４６は、ソーシャルネットワーキングサービス（ＳＮＳ）又は電子メールからスケジュールデータを抽出してもよい。
【０２３０】
スケジュール送信部４７は、スケジュール作成部４６によって作成されたスケジュールデータをクラウドサーバ１１１へ送信する。
【０２３１】
修正確認画面受信部４８は、電力履歴を修正するか否かを確認するための修正確認画面をクラウドサーバ１１１から受信する。
【０２３２】
修正確認処理部４９は、修正確認画面受信部４８によって受信された修正確認画面を表示部４４へ表示する。また、修正確認処理部４９は、操作部４１により電力履歴を修正するか否かを受け付ける。
【０２３３】
修正確認結果送信部５０は、電力履歴を修正するか否かを表す修正確認結果情報をクラウドサーバ１１１へ送信する。修正確認結果情報は、ユーザが部屋に在室していることを表す表示データをユーザが部屋に不在であることを表す表示データに変更するか、ユーザが部屋に不在であることを表す表示データをユーザが部屋に在室していることを表す表示データに変更するかを示す修正フラグで構成される。
【０２３４】
例えば、ユーザが部屋に在室していることを表す表示データをユーザが部屋に不在であることを表す表示データに変更する場合、修正確認結果情報は、“不在”という修正フラグを含む。また、例えば、ユーザが部屋に不在であることを表す表示データをユーザが部屋に在室していることを表す表示データに変更する場合、修正確認結果情報は、“在”という修正フラグを含む。
【０２３５】
図２９において、クラウドサーバ１１１は、ログ情報受信部３１、家電履歴データベース（ＤＢ）３２、表示データ要求受信部３３、電力変動抽出部３４、表示データ生成部３５、表示データ送信部３６、スケジュール受信部３９、スケジュールデータベース（ＤＢ）５１、履歴修正判断制御部５２、修正確認画面送信部５３、修正確認結果受信部５４及び修正フラグ設定部５５を備える。
【０２３６】
スケジュール受信部３９は、表示端末１３０によって送信されたスケジュールデータを受信する。
【０２３７】
スケジュールＤＢ５１は、スケジュール受信部３９によって受信されたスケジュールデータを格納する。
【０２３８】
図３０は、本実施の形態３におけるスケジュールＤＢに格納される情報のデータ構造の一例を示す図である。図３０に示すように、スケジュールデータは、開始日時情報、終了日時情報及び場所情報を含む。スケジュールＤＢ５１は、図３０に示すスケジュールデータを部屋ＩＤに対応付けて記憶する。なお、スケジュールＤＢ５１は、スケジュールデータをユーザＩＤに対応付けて記憶してもよい。
【０２３９】
開始日時情報は、予定されたイベントの開始日時を表す。終了日時情報は、予定されたイベントの終了日時を表す。場所情報は、予定されたイベントが行われる場所を表す。
【０２４０】
履歴修正判断制御部５２は、スケジュールＤＢ５１に記憶されているスケジュールデータと、家電履歴ＤＢ３２に記憶されている電力履歴情報とに基づいて、ユーザに提示する電力履歴を修正するか否かを判断する。履歴修正判断制御部５２は、スケジュールＤＢ５１に記憶されているスケジュールデータを選択し、スケジュールデータで示される開始日時から終了日時までの時間帯の所定時間毎の電力履歴を家電履歴ＤＢ３２から抽出する。そして、履歴修正判断制御部５２は、選択したスケジュールデータに含まれる場所情報が在室に関連した場所であり、抽出した電力履歴が不在に対応する電力履歴である場合、ユーザに提示する電力履歴を修正すると判断する。また、履歴修正判断制御部５２は、選択したスケジュールデータに含まれる場所情報が不在に関連した場所であり、抽出した電力履歴が在室に対応する電力履歴である場合、ユーザに提示する電力履歴を修正すると判断する。
【０２４１】
さらに、履歴修正判断制御部５２は、選択したスケジュールデータに含まれる場所情報が在室に関連した場所であり、抽出した電力履歴が在室に対応する電力履歴である場合、ユーザに提示する電力履歴を修正しないと判断する。また、履歴修正判断制御部５２は、選択したスケジュールデータに含まれる場所情報が不在に関連した場所であり、抽出した電力履歴が不在に対応する電力履歴である場合、ユーザに提示する電力履歴を修正しないと判断する。
【０２４２】
修正確認画面送信部５３は、履歴修正判断制御部５２によってユーザに提示する電力履歴を修正すると判断された場合、電力履歴を修正するか否かを確認するための修正確認画面を表示端末１３０へ送信する。また、修正確認画面送信部５３は、履歴修正判断制御部５２によってユーザに提示する電力履歴を修正しないと判断された場合、修正確認画面を表示端末１３０へ送信しない。
【０２４３】
修正確認結果受信部５４は、表示端末１３０によって送信された電力履歴を修正するか否かを表す修正確認結果情報を受信する。
【０２４４】
修正フラグ設定部５５は、修正する電力履歴の部屋ＩＤと日付とを特定し、特定した部屋ＩＤと日付とに対応付けられている電力履歴情報に、修正確認結果情報に含まれる修正フラグを設定し、開始日時情報及び終了日時情報とともに家電履歴ＤＢ３２に格納する。家電履歴ＤＢ３２は、開始日時情報と終了日時情報と修正フラグとを含む修正フラグ情報を記憶する。
【０２４５】
続いて、本発明の実施の形態３における情報管理システムの修正フラグ設定処理の流れについて説明する。
【０２４６】
図３１は、本発明の実施の形態３における情報管理システムの修正フラグ設定処理の流れを示す図である。
【０２４７】
まず、表示端末１３０は、部屋ＩＤと開始日時情報と終了日時情報と場所情報とを含むスケジュールデータをクラウドサーバ１１１へ送信する。
【０２４８】
次に、クラウドサーバ１１１は、受信したスケジュールデータを部屋毎に蓄積する。クラウドサーバ１１１は、家屋を共同で利用する複数のユーザが共同で用いるスケジュールを表すスケジュールデータを管理する。
【０２４９】
次に、第１の家電機器１１ａは、家電ＩＤと電力履歴とを含むログ情報をクラウドサーバ１１１へ送信する。
【０２５０】
次に、クラウドサーバ１１１は、受信したログ情報に含まれる電力履歴を部屋毎に蓄積する。
【０２５１】
次に、クラウドサーバ１１１は、蓄積しているスケジュールデータと、蓄積している電力履歴情報とに基づいて、ユーザに提示する電力履歴を修正するか否かを判断する。
【０２５２】
次に、クラウドサーバ１１１は、ユーザに提示する電力履歴を修正すると判断された場合、電力履歴を修正するか否かを確認するための修正確認画面を表示端末１３０へ送信する。クラウドサーバ１１１は、管理されているスケジュールデータに基づいて特定される電力変動データと、抽出された電力変動データとが一致しない時間帯及び部屋を特定し、特定された時間帯及び部屋を示す修正候補データを表示端末１３０に提供する。
【０２５３】
次に、表示端末１３０は、受信した修正確認画面を表示し、電力履歴を修正するか否かの選択を受け付け、電力履歴を修正するか否かを表す修正確認結果情報をクラウドサーバ１１１へ送信する。
【０２５４】
次に、クラウドサーバ１１１は、表示データの内容を修正するか否かを表す修正フラグを家電履歴ＤＢ３２に設定する。すなわち、クラウドサーバ１１１は、修正確認結果情報を受信し、修正する電力履歴の部屋ＩＤと日付とを特定し、特定した部屋ＩＤと日付とに対応付けられている電力履歴情報に、修正確認結果情報に含まれる修正フラグを設定し、開始日時情報及び終了日時情報とともに家電履歴ＤＢ３２に格納する。
【０２５５】
なお、本発明の実施の形態３において、クラウドサーバ１１１が表示データを送信する処理については、実施の形態２の図２５及び図２６における処理と同様であるので説明を省略する。
【０２５６】
すなわち、クラウドサーバ１１１は、修正候補データによって示された時間帯及び部屋に対応する使用電力量の総和の変動を表す修正対象データと傾向が異なるデータであって時間帯を含む日よりも前の日における時間帯と同じ時間帯の部屋に対応する使用電力量の総和の変動を表す電力参照データに基づいて、表示データの内容を修正する。
【０２５７】
このとき、クラウドサーバ１１１は、修正対象データを電力参照データに置換することで表示データの内容を修正してもよい。また、修正対象データが、ユーザが部屋に在室している際の電力変動データである場合は、修正対象データと傾向が異なるデータは、ユーザが部屋に不在である際の電力変動データである。修正対象データが、ユーザが部屋に不在である際の電力変動データである場合は、修正対象データと傾向が異なるデータは、ユーザが部屋に在室している際の電力変動データである。
【０２５８】
続いて、本発明の実施の形態３において、クラウドサーバ１１１が修正すべき電力履歴を判断する履歴修正判断処理について説明する。
【０２５９】
図３２は、本発明の実施の形態３における履歴修正判断処理を説明するためのフローチャートである。
【０２６０】
まず、ステップＳ４１において、履歴修正判断制御部５２は、スケジュールＤＢ５１から所定のスケジュールデータを選択する。例えば、履歴修正判断制御部５２は、スケジュールＤＢ５１に記憶されている複数のスケジュールデータのうち、電力履歴を修正するか否かが判断されていないスケジュールデータを日付が古いものから順に選択する。また、履歴修正判断処理が開始されるタイミングは、ログ情報を受信した時点、予め設定された所定の時刻、又はユーザによって指示された時点のいずれであってもよい。
【０２６１】
次に、ステップＳ４２において、履歴修正判断制御部５２は、選択されたスケジュールデータで示される開始日時から終了日時までの時間帯の所定時間毎の電力履歴情報を家電履歴ＤＢ３２から抽出する。
【０２６２】
次に、ステップＳ４３において、履歴修正判断制御部５２は、選択したスケジュールデータに含まれる場所情報が在室に関連した場所であるか否かを判断する。在室に関連した場所とは、例えば家又は家の中の特定の部屋などである。ここで、場所情報が在室に関連した場所であると判断された場合（ステップＳ４３でＹＥＳ）、ステップＳ４４において、履歴修正判断制御部５２は、抽出した電力履歴情報が在室に対応する電力履歴であるか否かを判断する。例えば、履歴修正判断制御部５２は、抽出した電力履歴情報の平均値を算出し、算出した平均値が所定値より小さいか否かを判断する。算出した平均値が所定値より小さい場合、履歴修正判断制御部５２は、抽出した電力履歴情報が不在に対応する電力履歴であると判断する。算出した平均値が所定値以上である場合、履歴修正判断制御部５２は、抽出した電力履歴情報が在室に対応する電力履歴であると判断する。
【０２６３】
ここで、電力履歴情報が在室に対応する電力履歴ではないと判断された場合、すなわち電力履歴情報が不在に対応する電力履歴であると判断された場合（ステップＳ４４でＮＯ）、ステップＳ４５において、修正確認画面送信部５３は、在室に対応する電力履歴に修正するか否かを確認するための修正確認画面を表示端末１３０へ送信する。
【０２６４】
一方、電力履歴情報が在室に対応する電力履歴であると判断された場合（ステップＳ４４でＹＥＳ）、履歴修正判断制御部５２は、履歴判断処理を終了する。すなわち、この場合、スケジュールデータで示されるユーザの在室状況と、電力履歴情報で示されるユーザの在室状況とが一致するので、電力履歴を修正する必要がない。
【０２６５】
また、場所情報が在室に関連した場所ではないと判断された場合、すなわち場所情報が不在に関連した場所であると判断された場合（ステップＳ４３でＮＯ）、ステップＳ４６において、履歴修正判断制御部５２は、抽出した電力履歴情報が不在に対応する電力履歴であるか否かを判断する。
【０２６６】
ここで、電力履歴情報が不在に対応する電力履歴ではないと判断された場合、すなわち電力履歴情報が在室に対応する電力履歴であると判断された場合（ステップＳ４６でＮＯ）、ステップＳ４７において、修正確認画面送信部５３は、不在に対応する電力履歴に修正するか否かを確認するための修正確認画面を表示端末１３０へ送信する。
【０２６７】
一方、電力履歴情報が不在に対応する電力履歴であると判断された場合（ステップＳ４６でＹＥＳ）、履歴修正判断制御部５２は、履歴判断処理を終了する。すなわち、この場合、スケジュールデータで示されるユーザの在室状況と、電力力情報で示されるユーザの在室状況とが一致するので、電力履歴を修正する必要がない。
【０２６８】
なお、本実施の形態３では、クラウドサーバ１１１は、ユーザに提示する電力履歴を修正すると判断された場合、修正確認画面を送信しているが、本発明は特にこれに限定されず、クラウドサーバ１１１は、ユーザに提示する電力履歴を修正すると判断された場合であっても、修正確認画面を送信しなくてもよい。この場合、修正確認画面送信部５３、修正確認結果受信部５４、修正確認画面受信部４８、修正確認処理部４９及び修正確認結果送信部５０は不要となる。また、修正フラグ設定部５５は、履歴修正判断制御部５２によってユーザに提示する電力履歴を修正すると判断された場合、修正する電力履歴の部屋ＩＤと日付とを特定し、特定した部屋ＩＤと日付とに対応付けられている電力履歴情報に、修正確認結果情報に含まれる修正フラグを設定し、開始日時情報及び終了日時情報とともに家電履歴ＤＢ３２に格納する。
【０２６９】
このように、実施の形態３では、部屋単位で各部屋での使用電力量の総和の所定時間毎の履歴が家電履歴ＤＢ３２に蓄積され、クラウドサーバ１１１の家電履歴ＤＢ３２内の登録内容は変更せずに、表示端末１３０に表示する表示データが修正される。そして、ユーザのスケジュールデータがスケジュールＤＢ５１に蓄積され、表示データを修正するか否かを判断する際に、スケジュールＤＢ５１内のスケジュールデータが利用される。
【０２７０】
スケジュールデータが共同居住者間で共用されている場合、当該スケジュールデータが表示内容の修正ツールとして利用される。具体的には、スケジュールデータがクラウドサーバ１１１内に格納され、スケジュールデータで示されるユーザの在室状況と部屋毎の電力履歴で示されるユーザの在室状況とが比較される。在室状況が不一致であれば、電力履歴を修正するか否かが編集者に通知される。編集者が電力履歴の修正を希望すれば、表される電力履歴が修正される。
【０２７１】
これにより、既存のスケジュールデータを利用して、スケジュールデータと部屋毎の使用電力量の総和の履歴との差分が通知されるので、容易に電力履歴を修正することができる。
【０２７２】
（実施の形態４）
続いて、本発明の実施の形態４における情報管理システムについて説明する。実施の形態４では、家屋内の部屋毎に収集された複数の家電機器の中の少なくとも一の家電機器に対する操作の有無を表す操作データが所定時間毎に抽出され、抽出された操作データに基づいて、家屋内の部屋毎に収集された複数の家電機器の中の少なくとも一の家電機器に対する操作の有無を表す表示画面に関する表示データが生成される。また、管理されているスケジュールデータに基づいて特定される操作データと、抽出された操作データとが一致しない時間帯及び部屋が特定され、特定された時間帯及び部屋を示す修正候補データが表示端末に提供される。
【０２７３】
図３３は、本発明の実施の形態４における情報管理システムの構成を示すブロック図である。なお、実施の形態４における情報管理システムの全体構成は、図２に示す実施の形態１における情報管理システムの全体構成と同じである。また、以下の説明では、実施の形態１〜３と同じ構成については説明を省略し、実施の形態１〜３と異なる構成についてのみ説明する。
【０２７４】
図３３において、第１の家電機器１１ａは、ログ情報記憶部２１及びログ情報送信部２２を備える。
【０２７５】
ログ情報記憶部２１は、第１の家電機器１１ａに対する操作の有無を表す操作データを所定時間毎に記憶する。なお、操作データは、例えば電源のオン又はオフに関するデータであり、所定時間毎に第１の家電機器１１ａの電源の状態（オンされているかオフされているか）を操作データとして記憶する。なお、本実施の形態では、ログ情報記憶部２１は、１時間毎の操作データを記憶するが、本発明は特にこれに限定されず、１分毎、３０分毎又は２時間毎の操作データを記憶してもよく、所定時間毎の操作データを記憶する。
【０２７６】
ログ情報送信部２２は、第１の家電機器１１ａを識別するための識別情報（家電ＩＤ）と、所定時間毎の操作データとを含むログ情報をクラウドサーバ１１１へ送信する。ログ情報送信部２２は、所定のタイミングで所定時間分の操作データをログ情報記憶部２１から読み出し、読み出した操作データと家電ＩＤとを含むログ情報をクラウドサーバ１１１へ送信する。例えば、ログ情報送信部２２は、午前０時に２４時間分の操作データをログ情報記憶部２１から読み出し、読み出した操作データと家電ＩＤとを含むログ情報をクラウドサーバ１１１へ送信する。
【０２７７】
図３３において、クラウドサーバ１１１は、ログ情報受信部３１、家電履歴データベース（ＤＢ）３２、表示データ要求受信部３３、操作データ抽出部６１、表示データ生成部３５、表示データ送信部３６、スケジュール受信部３９、スケジュールデータベース（ＤＢ）５１、履歴修正判断制御部５２、修正確認画面送信部５３、修正確認結果受信部５４及び修正フラグ設定部５５を備える。
【０２７８】
家電履歴ＤＢ３２は、部屋毎の所定時間毎の少なくとも一の家電機器に対する操作の有無を表す操作データを記憶する。また、家電履歴ＤＢ３２は、ユーザが居住する家屋を特定するための家屋ＩＤと、家屋内の部屋を特定するための部屋ＩＤと、当該部屋に配置されている家電機器を特定するための家電ＩＤとを対応付けて記憶している。家電履歴ＤＢ３２は、所定時間毎の少なくとも一の家電機器の操作データを部屋ＩＤに対応付けて記憶する。
【０２７９】
なお、本実施の形態では、家電履歴ＤＢ３２は、一の部屋に配置されている複数の家電機器の中の少なくとも一の家電機器に対する操作の有無を表す操作データを記憶する。すなわち、家電履歴ＤＢ３２は、一の部屋に配置されている全ての家電機器の操作データを記憶するのではなく、少なくとも一の家電機器の操作データを記憶すればよい。家電履歴ＤＢ３２は、例えば、照明機器又はテレビなどの、ユーザが部屋に在室しているか否かを判断することが可能な家電機器の操作データを記憶することが好ましい。もちろん、家電履歴ＤＢ３２は、一の部屋に配置されている全ての家電機器の操作データを記憶してもよい。
【０２８０】
また、少なくとも一の家電機器は冷蔵庫を含んでもよく、操作データは、冷蔵庫の扉の開閉を検知するセンサによって検知された冷蔵庫の扉の開閉を表す情報を含んでもよい。さらに、少なくとも一の家電機器は空気清浄機を含んでもよく、操作データは、空気清浄機の動作モードの変更を受け付ける操作部によって受け付けられた空気清浄機の動作モードの変更を表す情報を含んでもよい。
【０２８１】
さらに、操作データは、１つの家電機器に対して１つの操作に関する情報のみを含むのではなく、１つの家電機器に対して複数の操作に関する情報を含んでもよい。
【０２８２】
ログ情報受信部３１は、第１の家電機器１１ａのログ情報送信部２２によって送信されたログ情報を受信する。ログ情報受信部３１は、ネットワーク１５０を介して家屋内の複数の家電機器の各々の操作データを含むログ情報を複数の家電機器の各々から収集する。
【０２８３】
操作データ抽出部６１は、家屋内の部屋毎に集計された所定時間毎の少なくとも一の家電機器に対する操作の有無を表す操作データを抽出する。操作データ抽出部６１は、表示データ要求情報に基づいて、部屋と日付とを特定し、特定した部屋と日付とに対応する所定時間毎の少なくとも一の家電機器に対する操作の有無を表す操作データを家電履歴ＤＢ３２から抽出する。
【０２８４】
表示データ生成部３５は、電力変動抽出部３４によって抽出された操作データに基づいて、家屋内の部屋毎に集計された所定時間毎の少なくとも一の家電機器に対する操作の有無を表す表示画面に関する表示データを生成する。
【０２８５】
履歴修正判断制御部５２は、スケジュールＤＢ５１に記憶されているスケジュールデータと、家電履歴ＤＢ３２に記憶されている操作データとに基づいて、ユーザに提示する操作データを修正するか否かを判断する。履歴修正判断制御部５２は、スケジュールＤＢ５１に記憶されているスケジュールデータを選択し、スケジュールデータで示される開始日時から終了日時までの時間帯の所定時間毎の少なくとも一の家電機器に対する操作の有無を表す操作データを家電履歴ＤＢ３２から抽出する。そして、履歴修正判断制御部５２は、選択したスケジュールデータに含まれる場所情報が在室に関連した場所であり、抽出した操作データが不在に対応する操作データである場合、ユーザに提示する操作データを修正すると判断する。また、履歴修正判断制御部５２は、選択したスケジュールデータに含まれる場所情報が不在に関連した場所であり、抽出した操作データが在室に対応する操作データである場合、ユーザに提示する操作データを修正すると判断する。
【０２８６】
さらに、履歴修正判断制御部５２は、選択したスケジュールデータに含まれる場所情報が在室に関連した場所であり、抽出した操作データが在室に対応する操作データである場合、ユーザに提示する操作データを修正しないと判断する。また、履歴修正判断制御部５２は、選択したスケジュールデータに含まれる場所情報が不在に関連した場所であり、抽出した操作データが不在に対応する操作データである場合、ユーザに提示する操作データを修正しないと判断する。
【０２８７】
修正確認画面送信部５３は、履歴修正判断制御部５２によってユーザに提示する操作データを修正すると判断された場合、操作データを修正するか否かを確認するための修正確認画面を表示端末１３０へ送信する。また、修正確認画面送信部５３は、履歴修正判断制御部５２によってユーザに提示する操作データを修正しないと判断された場合、修正確認画面を表示端末１３０へ送信しない。
【０２８８】
修正確認結果受信部５４は、表示端末１３０によって送信された操作データを修正するか否かを表す修正確認結果情報を受信する。
【０２８９】
修正フラグ設定部５５は、修正する操作データの部屋ＩＤと日付とを特定し、特定した部屋ＩＤと日付とに対応付けられている操作データに、修正確認結果情報に含まれる修正フラグを設定し、開始日時情報及び終了日時情報とともに家電履歴ＤＢ３２に格納する。家電履歴ＤＢ３２は、開始日時情報と終了日時情報と修正フラグとを含む修正フラグ情報を記憶する。
【０２９０】
図３３において、表示端末１３０は、操作部４１、表示データ要求送信部４２、表示データ受信部４３、表示部４４、スケジュール作成部４６、スケジュール送信部４７、修正確認画面受信部４８、修正確認処理部４９及び修正確認結果送信部５０を備える。
【０２９１】
表示部４４は、表示データ受信部４３によって受信された表示データに基づいて、所望の部屋の所定時間毎の少なくとも一の家電機器に対する操作の有無を表す表示画面を表示する。
【０２９２】
修正確認画面受信部４８は、操作データを修正するか否かを確認するための修正確認画面をクラウドサーバ１１１から受信する。
【０２９３】
修正確認処理部４９は、修正確認画面受信部４８によって受信された修正確認画面を表示部４４へ表示する。また、修正確認処理部４９は、操作部４１により操作データを修正するか否かを受け付ける。
【０２９４】
修正確認結果送信部５０は、操作データを修正するか否かを表す修正確認結果情報をクラウドサーバ１１１へ送信する。修正確認結果情報は、ユーザが部屋に在室していることを表す表示データをユーザが部屋に不在であることを表す表示データに変更するか、ユーザが部屋に不在であることを表す表示データをユーザが部屋に在室していることを表す表示データに変更するかを示す修正フラグで構成される。
【０２９５】
なお、クラウドサーバ１１１は、家屋を共同で利用する複数のユーザが共同で用いるスケジュールを表すスケジュールデータを管理する。クラウドサーバ１１１は、ネットワーク１５０を介して家屋内の複数の家電機器の各々に対する操作の有無を表す操作データを含むログ情報を複数の家電機器の各々から収集する。クラウドサーバ１１１は、収集したログ情報を所定のデータベースに登録する。クラウドサーバ１１１は、家屋内の部屋毎に収集された複数の家電機器の中の少なくとも一の家電機器に対する操作の有無を表す操作データを所定時間毎に抽出する。
【０２９６】
クラウドサーバ１１１は、抽出された操作データに基づいて、家屋内の部屋毎に収集された複数の家電機器の中の少なくとも一の家電機器に対する操作の有無を表す表示画面に関する表示データを生成する。クラウドサーバ１１１は、ユーザが使用する表示端末１３０に、生成した表示データを提供する。
【０２９７】
また、クラウドサーバ１１１は、管理されているスケジュールデータに基づいて特定される操作データと、抽出された操作データとが一致しない時間帯及び部屋を特定し、特定された時間帯及び部屋を示す修正候補データを表示端末１３０に提供する。
【０２９８】
また、クラウドサーバ１１１は、修正候補データによって示された時間帯及び部屋に含まれる少なくとも一の家電機器に対する操作の有無を表す修正対象データと傾向が異なるデータであって時間帯を含む日よりも前の日における時間帯と同じ時間帯の少なくとも一の家電機器に対する操作の有無を表す操作参照データに基づいて、表示データの内容を修正してもよい。クラウドサーバ１１１は、修正対象データを操作参照データに置換することで表示データの内容を修正してもよい。修正対象データが、ユーザが部屋に在室している際の操作データである場合は、修正対象データと傾向が異なるデータは、ユーザが部屋に不在である際の操作データである。修正対象データが、ユーザが部屋に不在である際の操作データである場合は、修正対象データと傾向が異なるデータは、ユーザが部屋に在室している際の操作データである。操作データは、少なくとも一の家電機器に対する電源のオン又はオフの変化を含む。
【０２９９】
このように、本実施の形態４では、部屋単位で少なくとも一の家電機器に対する操作の有無が表示されるので、各部屋の少なくとも一の家電機器に対する操作が行われていれば、部屋単位で住人が在室しているか否かを判断することができる。そのため、ユーザによる家電機器の選択を要求することなく、部屋単位で住人が在室しているか否かを簡易に且つ漏れなく判断することができる。
【０３００】
また、部屋単位で少なくとも一の家電機器に対する操作の有無が表示されることで、家の中のどこかに誰かがいるという漠然とした判断ではなく、例えば家族又はルームメイトなどの共同居住者の構成員が自身の部屋に在室しているか否かという判断を、確実に判断することができる。例えば、子供部屋の少なくとも一の家電機器に対する操作の有無を確認することにより、子供部屋の住人である子供が在室していたか否かを確実に判断することができる。
【０３０１】
なお、本実施の形態１〜４において、クラウドサーバ１１１の家電履歴ＤＢ３２は、ユーザが所有する移動端末のＧＰＳ（Ｇｌｏｂａｌ  Ｐｏｓｉｔｉｏｎｉｎｇ  Ｓｙｓｔｅｍ）履歴を表す情報又はユーザの交通機関の移動履歴を表す情報を含んでもよい。また、表示データは、移動端末のＧＰＳ履歴を表す情報又は交通機関の移動履歴を表す情報を含んでもよい。
【０３０２】
なお、実施の形態１〜４において、クラウドサーバ１１１が家屋毎の共同利用者に割り当てられた識別子である共同利用者識別子を管理し、共同利用者識別子を用いたアクセスを受けた場合に、アクセスを試行した表示端末に対して、共同利用者識別子に対応する家屋について各々の実施形態において生成された表示画面に関する表示データを提供するとしてもよい。
【０３０３】
また、本実施の形態２〜４において、クラウドサーバ１１１は、ユーザが所有する移動端末のＧＰＳ履歴を表す情報又はユーザの交通機関の移動履歴を表す情報の修正を受け付け、移動端末のＧＰＳ履歴を表す情報又は交通機関の移動履歴を表す情報を修正した表示データを生成してもよい。これにより、ユーザの行動履歴が共同で管理される場合に、プライバシーに配慮した情報管理システムを実現することができる。
【０３０４】
また、実施の形態３，４において、スケジュールＤＢ５１は、スケジュールを他の居住者に秘密にするための機密フラグをスケジュールデータに対応付けて記憶してもよい。この場合、履歴修正判断制御部５２は、選択したスケジュールデータに含まれる場所情報が在室に関連した場所であり、抽出した電力履歴が在室に対応する電力履歴である場合、ユーザに提示する電力履歴を修正すると判断する。また、履歴修正判断制御部５２は、選択したスケジュールデータに含まれる場所情報が不在に関連した場所であり、抽出した電力履歴が不在に対応する電力履歴である場合、ユーザに提示する電力履歴を修正すると判断する。これにより、秘密としたいスケジュールを修正することができ、プライバシーに配慮した情報管理システムを実現することができる。
【０３０５】
なお、上記態様において説明された技術は、例えば、以下のクラウドサービスの類型において実現されうる。しかし、上記態様において説明された技術が実現されるクラウドサービスの類型はこれらに限られるものでない。
【０３０６】
（サービスの類型１：自社データセンタ型クラウドサービス）
図３４は、サービスの類型１（自社データセンタ型クラウドサービス）における情報管理システムが提供するサービスの全体像を示す図である。本類型では、サービスプロバイダ１２０がグループ１００から情報を取得し、ユーザに対してサービスを提供する。本類型では、サービスプロバイダ１２０が、データセンタ運営会社の機能を有している。すなわち、サービスプロバイダ１２０が、ビッグデータを管理するクラウドサーバ１１１を保有している。したがって、データセンタ運営会社は存在しない。
【０３０７】
本類型では、サービスプロバイダ１２０は、データセンタ（クラウドサーバ）２０３を運営及び管理している。また、サービスプロバイダ１２０は、オペレーティングシステム（ＯＳ）２０２及びアプリケーション２０１を管理する。サービスプロバイダ１２０は、サービスプロバイダ１２０が管理するＯＳ２０２及びアプリケーション２０１を用いてサービスを提供する（矢印２０４）。
【０３０８】
（サービスの類型２：ＩａａＳ利用型クラウドサービス）
図３５は、サービスの類型２（ＩａａＳ利用型クラウドサービス）における情報管理システムが提供するサービスの全体像を示す図である。ここで、ＩａａＳとは、インフラストラクチャー・アズ・ア・サービスの略であり、コンピュータシステムを構築および稼動させるための基盤そのものを、インターネット経由のサービスとして提供するクラウドサービス提供モデルである。
【０３０９】
本類型では、データセンタ運営会社１１０が、データセンタ（クラウドサーバ）２０３を運営及び管理している。また、サービスプロバイダ１２０は、ＯＳ２０２及びアプリケーション２０１を管理する。サービスプロバイダ１２０は、サービスプロバイダ１２０が管理するＯＳ２０２及びアプリケーション２０１を用いてサービスを提供する（矢印２０４）。
【０３１０】
（サービスの類型３：ＰａａＳ利用型クラウドサービス）
図３６は、サービスの類型３（ＰａａＳ利用型クラウドサービス）における情報管理システムが提供するサービスの全体像を示す図である。ここで、ＰａａＳとは、プラットフォーム・アズ・ア・サービスの略であり、ソフトウェアを構築および稼動させるための土台となるプラットフォームを、インターネット経由のサービスとして提供するクラウドサービス提供モデルである。
【０３１１】
本類型では、データセンタ運営会社１１０は、ＯＳ２０２を管理し、データセンタ（クラウドサーバ）２０３を運営及び管理している。また、サービスプロバイダ１２０は、アプリケーション２０１を管理する。サービスプロバイダ１２０は、データセンタ運営会社１１０が管理するＯＳ２０２及びサービスプロバイダ１２０が管理するアプリケーション２０１を用いてサービスを提供する（矢印２０４）。
【０３１２】
（サービスの類型４：ＳａａＳ利用型クラウドサービス）
図３７は、サービスの類型４（ＳａａＳ利用型クラウドサービス）における情報管理システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などの利用者がインターネットなどのネットワーク経由で使用できる機能を有するクラウドサービス提供モデルである。
【０３１３】
本類型では、データセンタ運営会社１１０は、アプリケーション２０１を管理し、ＯＳ２０２を管理し、データセンタ（クラウドサーバ）２０３を運営及び管理している。また、サービスプロバイダ１２０は、データセンタ運営会社１１０が管理するＯＳ２０２及びアプリケーション２０１を用いてサービスを提供する（矢印２０４）。
【０３１４】
以上、いずれのクラウドサービスの類型においても、サービスプロバイダ１２０がサービスを提供する。また、例えば、サービスプロバイダ又はデータセンタ運営会社は、ＯＳ、アプリケーション又はビックデータのデータベース等を自ら開発してもよいし、また、第三者に外注させてもよい。
【産業上の利用可能性】
【０３１５】
本発明に係る情報管理方法は、家屋を共同で利用する居住者が部屋に在室しているか否かを容易に確認することができ、ネットワークを介して家屋内に配置された複数の家電機器から収集した情報を管理する情報管理システムにおける情報管理方法に有用である。
【図１】
0005731077.tif 000002
【図２】
0005731077.tif 000003
【図３】
0005731077.tif 000004
【図４】
0005731077.tif 000005
【図５】
0005731077.tif 000006
【図６】
0005731077.tif 000007
【図７】
0005731077.tif 000008
【図８】
0005731077.tif 000009
【図９】
0005731077.tif 000010
【図１０】
0005731077.tif 000011
【図１１】
0005731077.tif 000012
【図１２】
0005731077.tif 000013
【図１３】
0005731077.tif 000014
【図１４】
0005731077.tif 000015
【図１５】
0005731077.tif 000016
【図１６】
0005731077.tif 000017
【図１７】
0005731077.tif 000018
【図１８】
0005731077.tif 000019
【図１９】
0005731077.tif 000020
【図２０】
0005731077.tif 000021
【図２１】
0005731077.tif 000022
【図２２】
0005731077.tif 000023
【図２３】
0005731077.tif 000024
【図２４】
0005731077.tif 000025
【図２５】
0005731077.tif 000026
【図２６】
0005731077.tif 000027
【図２７】
0005731077.tif 000028
【図２８】
0005731077.tif 000029
【図２９】
0005731077.tif 000030
【図３０】
0005731077.tif 000031
【図３１】
0005731077.tif 000032
【図３２】
0005731077.tif 000033
【図３３】
0005731077.tif 000034
【図３４】
0005731077.tif 000035
【図３５】
0005731077.tif 000036
【図３６】
0005731077.tif 000037
【図３７】
0005731077.tif 000038